(57)【要約】    【課題】  トランクを多数収容することができ、かつ、信頼性及び呼接続処理の能力を向上することが可能な電話交換システムを提供する。    【解決手段】  複数の通信端末装置８と、これらを直接回線で接続しており、交換動作を行う交換装置１Ａ、１Ｂとを備えた電話交換システムにおいて、通信端末装置８の各々に、ハンドセット８−１−１、８−１−２と、ハンドセット８−１−１、８−１−２を前記回線に接続し通話路を設定する通話スイッチ８−３０と、交換装置１Ａ、１Ｂの状態に関する状態情報を記憶する記憶装置８−１６とを備え、交換装置１Ａ、１Ｂの状態情報を記憶装置８−１６に記憶させ、制御装置８−１４は、発信操作若しくは着信応答操作がなされた場合、状態情報に基づいて通話接続動作を行う。【選択図】    図５
2004208338.tif 000002
【特許請求の範囲】
【請求項１】
局線、もしくは専用線との接続を指示する複数の回線選択手段を備えた端末装置と、少なくとも一つの前記端末装置を収容する交換装置とからなる電話交換装置であって、
前記端末装置が前記局線もしくは専用線と通話中に他の局線もしくは専用線に対応する前記回線選択手段が操作された際に当該通話中の呼を切断して当該他の局線もしくは専用線に対しての発呼または着呼応答することを特徴とする電話交換装置。
【請求項２】
局線もしくは専用線との接続を指示する複数の回線選択手段を備えた端末装置と、少なくとも一つの前記端末装置を収容する交換装置とからなる電話交換装置であって、
前記端末装置が前記局線もしくは専用線と通話中の場合に、前記回線選択手段の操作による発呼または着呼応答を許容とするか否かを記憶する記憶手段を備え、前記端末装置が前記局線もしくは専用線と通話中に前記他の局線もしくは専用線に対応する回線選択手段が操作されると、前記記憶手段を参照し、許容のときには当該他の局線もしくは専用線に対しての発呼または着呼応答を行い、不許容のときには前記回線選択手段の操作を無効とすることを特徴とする電話交換装置。
【発明の詳細な説明】
【技術分野】
【０００１】
本発明は、端末装置の収容数に対して多数の局線トランク及び専用線トランクを収容する構成の電話交換システムに関する。
【背景技術】
【０００２】
従来の電話交換システムは、図６１に示す構成となっている。
【０００３】
図６１において、電話交換システムは、通話路スイッチ（ＳＷ）６１１を備えている。通話路スイッチ６１１には、電話機等の電話端末６１２を収容し、その電話端末６１２を接続制御するための内線回路（ＬＩＮ）６１３が接続されており、また、局線または専用線を収容し、それら局線または専用線を接続制御するためのトランク（ＴＲＫ）６１４が接続されている。
【０００４】
中央制御装置（ＣＣ）６１５は、電話交換システム全体を制御し、電話端末６１２間、並びに電話端末６１２と局線または専用線間の呼制御を行なうものである。記憶装置（ＭＭ）６１６は、中央制御装置６１５が電話交換システムを制御するためのプログラム、局データ、及び各種テーブルを記憶するものであり、制御系バス６１７によって中央制御装置６１５と接続されている。
【０００５】
なお、制御系バス６１７には、通話路スイッチ６１１が接続されており、さらに、図示はしていないが、中央制御装置６１５と内線回路６１３及びトランク６１４とは、論理的に接続されている。これによって、通話路スイッチ６１１、内線回路６１３、及びトランク６１４は、中央制御装置６１５の制御下で動作している。
【０００６】
このような構成において、通常の電話交換システムの場合、呼量に見合ったトランク数を実装することが目的の一つであるため、電話端末６１２の収容数ｎと局線回線及び専用線回線の収容数（トランク６１４の収容数）ｍとの関係は、一般的にｎ＞ｍとなっている。
【特許文献１】特公昭６０−９６０９２号公報
【発明の開示】
【発明が解決しようとする課題】
【０００７】
しかしながら、銀行、ブローカー等の金融機関において、外国為替、債券等の売買（以下、ディーリングという）を行なうために、ディーラーと顧客とのコミュニケーションをならしめる電話交換システム（ディーリング通話システムともいう）の場合、１人のディーラーが、例えば、為替の値動きが発生したとき、多数の顧客の中から特定の顧客を瞬時に選択してコミュニケーションを図る必要があるため、呼量とは無関係に顧客の数だけトランクを収容する。
【０００８】
従って、ディーリングを行なうために使用される電話交換システムの場合、図６１において、電話端末６１２の収容数ｎとトランク６１４の収容数ｍとの関係は、ｎ＜ｍとなる。
【０００９】
このようにトランクを多数収容するためには、大規模な電話交換システム（構内電話交換機）を使用すれば良いが、この場合、電話交換システムが障害等によって一切のコミュニケーションが断たれる可能性が大きいという問題が生じる。また、大規模な電話交換システムの場合、中央制御装置に対する負荷が大きくなるため、呼接続に要する時間が大きくなるという問題も生じる。これらは、時間を争って、かつ、正確にディーラーと顧客とのコミュニケーションを行なうことが必要なディーリング業務にとっては、最大の課題となる。
【００１０】
従って、本発明の目的は、トランクを多数収容することができ、かつ、信頼性及び呼接続処理の能力を向上することが可能な電話交換システムを提供することにある。
【課題を解決するための手段】
【００１１】
本発明は、局線、もしくは専用線との接続を指示する複数の回線選択手段を備えた端末装置と、少なくとも一つの前記端末装置を収容する交換装置とからなる電話交換装置であって、前記端末装置が前記局線もしくは専用線と通話中に他の局線もしくは専用線に対応する前記回線選択手段が操作された際に当該通話中の呼を切断して当該他の局線もしくは専用線に対しての発呼または着呼応答することを特徴とする。
【００１２】
また、局線もしくは専用線との接続を指示する複数の回線選択手段を備えた端末装置と、少なくとも一つの前記端末装置を収容する交換装置とからなる電話交換装置であって、前記端末装置が前記局線もしくは専用線と通話中の場合に、前記回線選択手段の操作による発呼または着呼応答を許容とするか否かを記憶する記憶手段を備え、前記端末装置が前記局線もしくは専用線と通話中に前記他の局線もしくは専用線に対応する回線選択手段が操作されると、前記記憶手段を参照し、許容のときには当該他の局線もしくは専用線に対しての発呼または着呼応答を行い、不許容のときには前記回線選択手段の操作を無効とすることを特徴とする。
【発明の効果】
【００１３】
本発明によれば、通信端末装置側で、交換装置が交換動作を行う際に必要な各種情報を持ち、通信端末装置側で交換動作その他の制御動作を自立的に行えるようにして、交換装置の処理負担を軽減する。
【００１４】
これによって、信頼性及び呼接続処理の能力を向上することが可能な電話交換システムを提供することができる。
【００１５】
本発明によれば、端末装置側で呼制御の一部を分担するため、交換装置の負荷が軽減するとともに、接続する交換装置の台数に比例して回線処理能力を向上させることができるという効果がある。
【００１６】
また、例えば、Ｎ台の交換装置を用いて電話交換システムを構成している場合、１台の交換装置がダウンしてもシステム全体からみて、１／Ｎのダウンで済むため、信頼性が向上するという効果も生じる。
【発明を実施するための最良の形態】
【００１７】
以下、本発明の実施の形態を図面を参照して詳細に説明する。
【００１８】
§１．システム構成の概要
【００１９】
図１は、本発明に係る電話交換システムの一構成例を示す図である。
【００２０】
図１において、電話交換システムは、交換装置Ａ（ＥＸ−Ａ）と交換装置Ｂ（ＥＸ−Ｂ）との２セットの交換装置（ＥＸ−Ａ及びＥＸ−Ｂ）を備えている。そして、それらの交換装置（ＥＸ−Ａ及びＥＸ−Ｂ）は、各々、通話路スイッチ（ＳＷ）１Ａ，１Ｂを備えており、また、通話路スイッチ１Ａ，１Ｂには、局線または専用線を収容し、それら局線または専用線を接続制御するためのトランク（ＴＲＫ）４Ａ，４Ｂが接続されている。
【００２１】
端末装置８は、前述した主にディーリング通話用の通話台として使用される端末装置であって、多数の顧客の中から特定の顧客を瞬時に選択する機能を有する端末装置である。この端末装置８は、通話路スイッチ１Ａ，１Ｂに接続されている専用内線回路（ＤＬＩＮ）９Ａ及び専用線内線回路９Ｂの各々に接続されている。専用内線回路９Ａ，９Ｂは、端末装置８と後述する呼制御メッセージの送受信を行なうものである。
【００２２】
中央制御装置（ＣＣ）５Ａ，５Ｂのそれぞれは、交換装置Ａ（ＥＸ−Ａ）及び交換装置Ｂ（ＥＸ−Ｂ）の全体を制御し、端末装置８間、並びに端末装置８と局線または専用線間の呼制御を行なうものである。記憶装置（ＭＭ）６Ａ，６Ｂは、中央制御装置５Ａ，５Ｂが交換装置（ＥＸ−Ａ及びＥＸ−Ｂ）を制御するためのプログラム、局データ、及び各種テーブルを記憶するものであり、各々の制御系バス７Ａ，７Ｂによって中央制御装置５Ａ，５Ｂと接続されている。なお、制御系バス７Ａ，７Ｂには、各々、通話路スイッチ１Ａ，１Ｂが接続されており、さらに、図示はしていないが、中央制御装置１Ａ，１Ｂと専用内線回路９Ａ，９Ｂ及びトランク４Ａ，４Ｂとは、論理的に接続されている。これによって、通話路スイッチ１Ａ，１Ｂ、専用内線回路９Ａ，９Ｂ、及びトランク４Ａ，４Ｂは、各々、中央制御装置５Ａ，５Ｂの制御下で動作している。
【００２３】
さらにまた、中央制御装置５Ａと中央制御装置５Ｂとは、全く独立して動作しており、即ち、交換装置Ａ（ＥＸ−Ａ）と交換装置Ｂ（ＥＸ−Ｂ）とは各々独立して動作するシステムとなっている。
【００２４】
これにより、図１における構成の電話交換システムにおいては、複数の端末装置８が、専用内線回路９Ａ，９Ｂを介して２セットの交換装置（ＥＸ−Ａ及びＥＸ−Ｂ）に接続されるため、それぞれの端末装置８は、交換装置Ａ（ＥＸ−Ａ）が収容する局線及び専用線の数（ｍ１）と交換装置Ｂ（ＥＸ−Ｂ）が収容する局線及び専用線の数（ｍ２）との総計、即ち、ｍ１とｍ２とを合計した数の局線及び専用線にアクセスすることが可能となる。
【００２５】
図２は、図１における構成の電話交換システムに従来から使用されている通常の電話端末２Ａ，２Ｂを付加し、電話端末２Ａ，２Ｂとディーリング通話用端末装置８とが混在する場合の構成例を示す図である。ディーリング通話システムでは、ディーラーが扱う端末装置８の他に、ディーリング業務をバックアップするスタッフが使用する従来型の電話端末２Ａ，２Ｂを収容することができ、相互の連絡をとることを可能としている。なお、電話端末２Ａ，２Ｂは、通話路スイッチ１Ａ，１Ｂに接続されている内線回路（ＬＩＮ）３Ａ，３Ｂにより接続制御されるが、これは、従来から行なわれている制御と同様であるため詳細な説明は省略する。
【００２６】
図３は、交換装置Ａ（ＥＸ−Ａ）、交換装置Ｂ（ＥＸ−Ｂ）、及び交換装置Ｃ（ＥＸ−Ｃ）の３セット交換装置により構成した電話交換システムの場合の構成例を示す図である。これは、局線及び専用線の必要数に応じて交換装置を増設することで、大容量のシステムを構成することができることを示すものである。
【００２７】
図１乃至図３により、本発明に係る電話交換システムの構成例を示したが、本構成とした場合の重要なポイントとしては、システムの目的から、端末装置８の扱者が顧客に対応する回線及び従来型の電話端末が収容されている交換装置を意識して操作することがあってはならない。即ち、個々の端末装置から見ると、複数の交換装置があたかも１セットの交換装置であるかのように機能しなければならない。これは、交換装置の処理能力を維持するため、各々の交換装置は独立して動作しているために生じる課題である。
【００２８】
本発明では、各交換装置の制御上の接点とも言える端末装置に、交換装置を選択する手段を備え、さらに、本来交換装置が処理すべき呼制御機能の一部を持たせることにより、複数の交換装置をあたかも１セットの交換装置に見せかけている。
【００２９】
なお、セクション２以降に示す実施の形態の説明は、電話交換システムの構成が、図１に示す構成である場合を前提にしている。
【００３０】
§２．ハードウェア構成
【００３１】
２．１  交換装置の構成
【００３２】
交換装置に関しては、前記したとおりの構成であるが、端末装置との間で呼を制御する情報（呼制御メッセージ）の送受信を実行するために装備されている専用内線回路（ＤＬＩＮ）（図２、９Ａ，９Ｂ）について、より詳細に説明する。
【００３３】
専用内線回路（ＤＬＩＮ）は、本発明の有効性を高める一実施の形態として、端末装置と交換装置との間をディジタルインタフェース（２Ｂ＋Ｄのチャネルを有するＩＳＤＮ基本インタフェース）で接続するためのハードウェアである。
【００３４】
以下、図６を参照して詳細に説明する。
【００３５】
図６において、専用内線回路（ＤＬＩＮ）は、専用内線回路の全体を制御する処理用プロセッサ（ＭＰＵ）９−１を具備し、交換装置の中央制御装置５Ａ，５Ｂとの間で制御情報の送受信を行ない、かつ、端末装置８との間で呼制御メッセージの送受信を行なっている。処理用プロセッサ９−１が行なう制御手順もしくは処理方法は、固定記憶装置（ＲＯＭ）９−２に予めプログラムされており、途中経過の情報等のデータを一時記憶装置（ＲＡＭ）９−３に蓄積しつつ、そのプログラムに従って処理を実行している。
【００３６】
また、端末装置８との間で呼制御メッセージを送受信するために呼制御メッセージ送受信バッファ９−５を備えており、この呼制御メッセージ送受信バッファ９−５には、送信回路９−６と受信回路９−７が接続されている。送信回路９−６は、端末装置８と接続するためのインタフェースであるＩＳＤＮ基本インタフェースの信号用チャネル（Ｄチャネル）９−８により端末装置８に対して呼制御メッセージを送信する回路であり、また、受信回路９−７は、Ｄチャネル９−８により端末装置８からの呼制御メッセージを受信する回路である。
【００３７】
さらに、交換装置の中央制御装置１Ａ，１Ｂと制御情報を送受信するための情報送受信バッファ９−１０が備えられており、この情報送受信バッファ９−１０は、交換装置の制御系バス７Ａ，７Ｂに接続されている。またさらに、処理用プロセッサ９−１、固定記憶装置９−２、一時記憶装置９−３、呼制御メッセージ送受信バッファ９−５、及び情報送受信バッファ９−１０の各々は、制御バス９−４に接続されている。
【００３８】
この構成により、処理用プロセッサ９−１と中央制御装置１Ａ，１Ｂとの制御情報の送受信は、制御バス９−４及び情報送受信バッファ９−１０を介して行なわれ、また、処理用プロセッサ９−１と端末装置８との呼制御メッセージの送受信は、制御バス９−４及び呼制御メッセージ送受信バッファ９−５を介して行なわれる。
【００３９】
なお、２つの通話用チャネルであるＢ１チャネル９−９−１及びＢ２チャネル９−９−２は、論理的に何ら手を加えず交換装置の通話路スイッチ１Ａ，１Ｂに接続している。Ｂ１チャネル９−９−１、Ｂ２チャネル９−９−２、及びＤチャネル９−８は、実際には時分割多重によりディジタル通信されるものであるが、ここでは便宜上空間分割型で説明している。従って、図６では、Ｂ１チャネル９−９−１、Ｂ２チャネル９−９−２、及びＤチャネル９−８を時分割多重する回路、及び時分割多重を分離する回路の記載を省略している。
【００４０】
２．２  端末装置の構成
【００４１】
次に、主にディーリング通話用の通話台として使用される端末装置８のハードウェア構成について説明する。
【００４２】
図４は、端末装置８の盤面を示す図である。本実施の形態においては、２つの通話用ハンドセット８−１−１及び８−１−２を具備した場合を例にして説明する。
【００４３】
図４において、左右のハンドセット８−１−１及び８−１−２の他に、仮想の内線回路（内線メモリ）に対応し、他の端末装置及び従来型の電話端末と通話を行なうためのボタン‘内線１’８−２−１及び‘内線２’８−２−２と、それらのボタン‘内線１’８−２−１及び‘内線２’８−２−２に対応したランプ８−３−１及び８−３−２と、局線もしくは専用線に発信、着信応答するためのボタン‘トランク１’８−４−１乃至‘トランクＰ’８−４−ｐと、それらのボタン‘トランク１’８−４−１乃至‘トランクｐ’８−４−ｐに対応したランプ８−５−１乃至８−５−Ｐと、相手先を自動的に呼出すためのボタン‘オートダイヤル１’８−６−１乃至‘オートダイヤルｑ’８−６−ｑと、それらのボタン‘オートダイヤル１’８−６−１乃至‘オートダイヤルｑ’８−６−ｑに対応したランプ８−７−１乃至８−７−ｑと、ダイヤルを行なうためのダイヤルキー群８−１０と、数字等を表示する数字表示器８−９と、左ハンドセット８−１−１での通話を切断するためのボタン‘左切断’８−８−１及び右ハンドセット８−１−２での通話を切断するためのボタン‘右切断’８−８−２と、左右のハンドセットの使用の可否、即ち、使用するハンドセットを１つにする（シングルハンド）か、もしくは使用するハンドセットを２つにする（ダブルハンド）かを任意に設定するためのボタン‘ダブルハンド’８−１１と、このボタン‘ダブルハンド’８−１１に対応したランプ８−１２と、着呼を可聴表示するための着呼リンガ８−１３とを備えている。
【００４４】
図５は、図４に示す盤面の構成である端末装置８のハードウェア構成を示すブロック図である。
【００４５】
図５において、端末装置８は、端末装置全体を制御する呼制御プロセッサ（ＭＰＵ）８−１４を具備し、制御バス８−１７に接続されている。呼制御プロセッサ８−１４は、制御バス８−１７に接続されている固定記憶装置（ＲＯＭ）８−１５に記憶されているプログラムに従い制御を遂行する。一時記憶装置（ＲＡＭ）８−１６は、制御バス８−１７に接続され、各種可変データ、例えば、各納入局毎に対応して異なるテーブル類、あるいは呼制御プロセッサ８−１４が制御を遂行する途中で発生する一時的な情報が記憶される。このように呼制御プロセッサ８−１４は、他のプロセッサシステムと同様に、制御バス８−１７を介して固定記憶装置８−１５及び一時記憶装置８−１６にアクセスし、制御を行なう。
【００４６】
また、制御バス８−１７には、呼制御メッセージ送受信バッファ８−１８、数字表示器コントローラ８−２５、ランプドライバ８−２６、ボタンスキャンバッファ８−２７、リンガドライバ８−２８、及び通話路スイッチ（Ｔ−ＳＷ）８−３０が接続されている。そして、呼制御メッセージ送受信バッファ８−１８、数字表示器コントローラ８−２５、ランプドライバ８−２６、ボタンスキャンバッファ８−２７、リンガドライバ８−２８、及び通話路スイッチ（Ｔ−ＳＷ）８−３０は、全て呼制御プロセッサ８−１４の制御下で動作している。
【００４７】
呼制御メッセージ送受信バッファ８−１８は、交換装置（ＥＸ−Ａ及びＥＸ−Ｂ）との間で呼制御メッセージの送受信を行なうものであり、交換装置Ａ（ＥＸ−Ａ）からＩＳＤＮ基本インタフェースのＤチャネル８−２３を介して呼制御メッセージを受信する受信回路８−１９と、交換装置Ａ（ＥＸ−Ａ）に対しＤチャネル８−２３を介して呼制御メッセージを送信する送信回路８−２０、並びに、交換装置Ｂ（ＥＸ−Ｂ）からＤチャネル８−２４を介して呼制御メッセージを受信する受信回路８−２１と、交換装置Ｂ（ＥＸ−Ｂ）に対しＤチャネル８−２４を介して呼制御メッセージを送信する送信回路８−２２とが接続されている。
【００４８】
数字表示器コントローラ８−２５は、数字表示器８−９が接続されており、呼制御プロセッサ８−１４からの制御に基づいて数字表示器８−９に任意の数字を表示させているものである。
【００４９】
ランプドライバ８−２６は、ランプ８−３−１及び８−３−２、ランプ８−５−１乃至８−５−Ｐ、ランプ８−７−１乃至８−７−ｑ、並びにランプ８−１２を接続し、それらの各種ランプに対応するボタンの状態を表示させるようランプの点滅を制御するものである。
【００５０】
ボタンスキャンバッファ８−２７は、ボタン‘内線１’８−２−１及び‘内線２’８−２−２、ボタン‘トランク１’８−４−１乃至‘トランクＰ’８−４−ｐ、ボタン‘オートダイヤル１’８−６−１乃至‘オートダイヤルｑ’８−６−ｑ、ボタン‘ダブルハンド’８−１１、ボタン‘左切断’８−８−１、ボタン‘右切断’８−８−２、並びにダイヤルキー群８−１０を接続し、それらの各種ボタンを走査してその開閉を検出するものである。
【００５１】
リンガドライバ８−２８は、着呼リンガ８−１３を接続し、着呼を可聴表示する制御を行なうものである。
【００５２】
通話路スイッチ８−３０には、左ハンドセット８−１−１を接続する左通話回路８−２９−１と、右ハンドセット８−１−２を接続する右通話回路８−２９−２とが接続されており、また、交換装置Ａ（ＥＸ−Ａ）と接続されているＩＳＤＮ基本インタフェースのＢ１チャネル８−３１−１及びＢ２チャネル８−３１−２、並びに交換装置Ｂ（ＥＸ−Ｂ）と接続されているＩＳＤＮ基本インタフェースのＢ１チャネル８−３２−１及びＢ２チャネル８−３２−２を収容している。この４つの各々の通話チャネルは、呼制御プロセッサ８−１４が通話路スイッチ８−３０をスイッチングする制御をすることで、左ハンドセット８−１−１に対応する左通話回路８−２９−１及び右ハンドセット８−１−２に対応する右通話回路８−２９−２のいずれにも接続できる構成となっている。
【００５３】
なお、前記したように、Ｂ１チャネル８−３１−１、Ｂ２チャネル８−３１−２、及びＤチャネル８−２３、並びに、Ｂ１チャネル８−３２−１、Ｂ２チャネル８−３２−２、及びＤチャネル８−２４は、実際には時分割多重によりディジタル通信されるものであるが、ここでは便宜上空間分割型で説明している。従って、図５では、Ｂ１チャネル、Ｂ２チャネル、及びＤチャネルを時分割多重する回路、及び時分割多重を分離する回路の記載を省略している。
【００５４】
また、本実施の形態のようなシステム構成の場合、即ち、２つのハンドセットを有する端末装置が、２セットの交換装置と接続されている場合は、左ハンドセットはそれぞれの交換装置のＢ１チャネルで接続され、右ハンドセットはそれぞれの交換装置のＢ２チャネルで接続されるように制御することが望ましい。このように制御する場合、１つのハンドセットの端末装置のときは、Ｂ１チャネルのみが必要となり、３つのハンドセットの端末装置のときは、Ｂ１チャネル、Ｂ２チャネル及びＢ３チャネルの３つの通話チャネルが必要となる。
【００５５】
さらに、交換装置側が３セット以上になる場合は、Ｂ１チャネル、及びＢ２チャネルのペアを増設することで容易に、かつ、柔軟に対応することができる。
【００５６】
§３．テーブル及び一時メモリの構成
【００５７】
セクション５以降で呼制御の動作について説明するが、それに先立ってこのセクションにおいて、呼制御を実行する上で使用するテーブル及び一時メモリの説明を行ない、次のセクションで交換装置と端末装置の間で送受信する呼制御メッセージの説明を行なう。
【００５８】
３．１  端末装置のテーブル及び一時メモリ
【００５９】
端末装置８のテーブル及び一時メモリは、図５に示す一時記憶装置８−１６内に記憶される。
【００６０】
テーブルは、端末装置８の運用条件に合わせて予め登録されるもので、バッテリー等でバックアップされ、停電等で消滅することがない構成とされているものであり、いわゆる局データに相当するテーブルである。なお、このテーブルは、電話交換システムの運用条件が変った場合に、いつでも変更することが可能であることは明らかである。また、本実施の形態で使用するテーブルを図７乃至図１３に示している。
【００６１】
一時メモリは、呼制御を遂行する過程で時々刻々と変化する情報を記憶するメモリである。なお、本実施の形態で使用する一時メモリを図１４乃至図２０に示している。
【００６２】
まず、テーブルについて説明する。
【００６３】
図７は、トランクボタンテーブルを示す図である。図７において、トランクボタンテーブルは、図４に示す端末装置８の盤面図のボタン‘トランク１’８−４−１乃至‘トランクｐ’８−４−ｐに対応して設けられているテーブルであり、接続すべき交換装置を示す情報（交換装置番号）７０１、トランクの収容位置を示す情報（トランク収容位置番号もしくはトランク番号）７０２、着信時の着呼音の種別を示す情報（着信音種別）７０３、及びオートダイヤルによりトランクへ発呼するとき、捕捉する優先順位を示す情報（捕捉優先順位）７０４が登録されている。本テーブルには、交換装置Ａ（ＥＸ−Ａ）に収容されているｍ１個のトランクと交換装置Ｂ（ＥＸ−Ｂ）に収容されているｍ２個のトランクのうち任意のｐ個のトランクを登録することができる。
【００６４】
図８は、オートダイヤルボタンテーブルを示す図である。図８において、オートダイヤルボタンテーブルは、図４に示す端末装置８の盤面図のボタン‘オートダイヤル１’８−６−１乃至‘オートダイヤルｑ’８−６−ｑに対応して設けられているテーブルであり、トランク向けの発呼か、内線向けの発呼かを示す情報（オートダイヤル種別）８０１、及び発信先のダイヤルを示す情報（ダイヤル番号）８０２が登録されている。
【００６５】
図９は、端末番号テーブルである。この端末番号テーブルには、端末装置自身の端末番号９０１が登録されており、交換装置から送られてくる端末の状態が変化したことを示す端末状態変化情報を受信したとき、その端末状態変化情報が自端末装置の状態変化に対して発生した情報なのか、他端末装置の状態変化に対して発生した情報なのかを判別するために使用される。
【００６６】
図１０は、ハンドセットモードテーブルである。このハンドセットモードテーブルには、端末装置の扱者が右利きか左利きかを示す情報（ハンドセットモード）が登録されている。これは、一般に、右利きの扱者は、左手でハンドセットを握り、右手でボタン等の操作を行ない、また、左利きの扱者は、その逆の動作をする。従って、このテーブルにより、左右のハンドセットの優先順位を決定している。
【００６７】
図１１は、発呼交換装置番号テーブルである。この発呼交換装置番号テーブルには、図４に示す端末装置８の盤面図のボタン‘内線１’８−２−１または‘内線２’８−２−２で発呼するとき、交換装置（ＥＸ−Ａ）Ａ、交換装置（ＥＸ−Ｂ）Ｂのどちらの交換装置に対して発呼するかを示す情報（交換装置番号）１１０１が登録されている。なお、ディーリング通話用の端末装置８向けに発呼する場合は、どちらかの交換装置に発呼すれば良いことは明らかである。しかしながら、例えば、従来型の電話端末（２Ａ，２Ｂ）が図２に示されているように交換装置Ａ及び交換装置Ｂに分離されて収容されている場合には、続いてダイヤルされる端末番号（内線番号）を識別して交換装置を選択する必要があるが、本実施の形態では詳細な説明を省略する。
【００６８】
図１２は、左ハンド連続モードテーブルである。この左ハンド連続モードテーブルには、例えば、左ハンドセットでボタン‘トランク１’８−４−１に対応する回線と通話している場合において、ボタン‘トランク２’８−４−２を押したとき、‘トランク１’８−４−１に対応する回線を切断して‘トランク２’８−４−２に対応する回線と接続する動作を許容するかを否かを示す情報（連続モード）１２０１が登録されている。
【００６９】
図１３は、右ハンド連続モードテーブルである。この右ハンド連続モードテーブルには、図１２に示す左ハンド連続モードテーブルと同様に連続モード１３０１が登録されている。なお、この制御については、セクション５のハンドセット選択制御にて詳細に説明する。
【００７０】
次に、一時メモリについて説明する。
【００７１】
図１４は、左（Ｌ）ハンドセットメモリである。図１４において、左（Ｌ）ハンドセットメモリには、左通話回路８−２９−１の状態を示す情報（状態種別）１４０１、通話中の交換装置を示す情報（通話中交換装置番号）１４０２、通話中のトランクのボタンを示す情報（トランクボタン番号）または通話中の内線のボタンを示す情報（内線ボタン番号）１４０３、及びオートダイヤル発呼した場合にはそのオートダイヤルボタンを示す情報（オートダイヤルボタン番号）１４０４が保持されており、主に、切断の操作をしたとき、それらの情報に基づいて呼制御を実行する。
【００７２】
図１５は、右（Ｒ）ハンドセットメモリである。図１５において、右（Ｒ）ハンドセットメモリには、図１４の左（Ｌ）ハンドセットメモリと同様に、右通話回路８−２９−２の状態を示す情報（状態種別）１５０１、通話中の交換装置を示す情報（通話中交換装置番号）１５０２、通話中のトランクのボタンを示す情報（トランクボタン番号）または通話中の内線のボタンを示す情報（内線ボタン番号）１５０３、及びオートダイヤル発呼した場合にはそのオートダイヤルボタンを示す情報（オートダイヤルボタン番号）１５０４が保持されている。
【００７３】
図１６は、ボタン‘内線１’８−２−１に対応した内線の呼制御を行なうための内線呼制御用メモリ（内線メモリ１）である。図１６において、内線メモリ１は、ボタン‘内線１’８−２−１の接続の状態を示す情報（状態種別）１６０１、内線着呼を受け付けた交換装置を示す情報（交換装置番号）１６０２、及び発呼者の内線番号を示す情報（発呼内線番号）１６０３を保持している。内線番号は、内線着呼制御のとき相手側の内線番号を数字表示器８−９に表示するために使用するものである。
【００７４】
図１７は、ボタン‘内線２’８−２−２に対応した内線の呼制御を行なうための内線呼制御用メモリ（内線メモリ２）である。図１７において、内線メモリ２は、内線メモリ１と同様に、ボタン‘内線２’８−２−２の接続の状態を示す情報（状態種別）１７０１、内線着呼を受け付けた交換装置を示す情報（交換装置番号）１７０２、及び発呼者の内線番号を示す情報（発呼内線番号）１７０３を保持している。
【００７５】
ここで、内線メモリ１及び内線メモリ２は、左右の両ハンドセット、交換装置Ａ、及び交換装置Ｂとの間に何ら接続規制されないことが望ましい。これは、左ハンドセット８−１−１は、ボタン‘内線１’−交換装置Ａ（ＥＸ−Ａ）、ボタン‘内線１’−交換装置Ｂ（ＥＸ−Ｂ）、ボタン‘内線２’−交換装置Ａ（ＥＸ−Ａ）、及びボタン‘内線２’−交換装置Ｂ（ＥＸ−Ｂ）の４通りの接続が可能であり、また、右ハンドセット８−１−２も同様に４通りの接続が可能である。このことは、互いに独立して動作する複数の交換装置を用いて構成する電話交換システムにおいて、内線発呼及び着呼を行なうとき、扱者から見て複数の交換装置があたかも１台の交換装置のように機能させるために重要なところである。
【００７６】
図１８は、交換装置Ａ収容トランクメモリである。この交換装置Ａ収容トランクメモリは、交換装置Ａ（ＥＸ−Ａ）が収容している全トランク（ｍ１個のトランク分）の状態を示す情報（状態種別）１８０１を保持している。
【００７７】
図１９は、交換装置Ｂ収容トランクメモリである。この交換装置Ｂ収容トランクメモリは、交換装置Ｂ（ＥＸ−Ｂ）が収容している全トランク（ｍ２個のトランク分）の状態を示す情報（状態種別）１９０１を保持している。
【００７８】
なお、これらの交換装置Ａ収容トランクメモリ及び交換装置Ｂ収容トランクメモリを端末装置８に備えることにより、端末装置８で、交換装置が収容しているトランク（ｍ１＋ｍ２個の全トランク分）の状態を認識することができ、トランク発呼着呼の呼制御の一部を端末装置８側で分担している。
【００７９】
図２０は、ダブルハンドボタンメモリである。このダブルハンドボタンメモリは、ボタン‘ダブルハンド’８−１１の操作に連動して内容が変化するものであり、端末装置の状態がシングルハンドの状態かダブルハンドの状態かを示す情報（状態種別）２００１を保持している。
【００８０】
３．２  交換装置のテーブル及び一時メモリ
【００８１】
交換装置（ＥＸ−Ａ及びＥＸ−Ｂ）のテーブル及び一時メモリは、図２において、記憶装置６Ａ及び６Ｂ内の各々に記憶されるものである。
【００８２】
交換装置側のテーブル及び一時メモリとしては、様々な局データ、加入者データ、呼制御用の各種メモリ、その他保守運用、及び課金データ等を有するが、ここでは、本発明に関係するテーブル及び一時メモリに関してのみ開示する。
【００８３】
まず、テーブルについて説明する。
【００８４】
図２１は、端末番号テーブルである。この端末番号テーブルは、端末装置毎に対応して割り付けられており、内線発呼着呼のとき及び端末装置の状態が変化したときに、どの端末装置の状態の変化を受け付けたかを通知するために必要な情報（端末番号）２１０１を記憶している。なお、この端末番号テーブルは、複数の交換装置の全て（交換装置Ａ及び交換装置Ｂ）が、全く同じ構成で備えられている。
【００８５】
次に、一時メモリについて説明する。
【００８６】
本実施の形態で使用する一時メモリを図２２乃至図２５に示す。
【００８７】
図２２は、内線メモリ１である。この内線メモリ１は、端末装置８毎のボタン‘内線１’８−２−１に対応して設けられており、その‘内線１’の状態を示す情報（状態種別）２２０１、接続中のハンドセットの種別を示す情報（ハンドセット種別）（交換装置から言えば、Ｂ１チャネルかＢ２チャネルかを示している）２２０２、及び内線通話時の相手側端末装置の収容位置を示す情報（相手側収容位置番号）２２０３を保持している。
【００８８】
図２３は、内線メモリ２である。この内線メモリ２は、内線メモリ１と同様に、端末装置８毎のボタン‘内線２’８−２−２に対応して設けられており、その‘内線２’の状態を示す情報（状態種別）２３０１、接続中のハンドセットの種別を示す情報（ハンドセット種別）２３０２、及び内線通話時の相手側端末装置の収容位置を示す情報（相手側収容位置番号）２３０３を保持している。
【００８９】
図２４は、端末メモリである。この端末メモリは、端末装置毎の２つの通話チャネルであるＢ１チャネル（Ｌ）及びＢ２チャネル（Ｒ）にそれぞれ対応して備えられており、接続先がトランクか内線かを判別するための情報（接続種別）２４０１、接続中のトランクの収容位置を示す情報または内線メモリを示す情報（トランク収容位置番号／内線メモリ番号）２４０２、及び端末装置がダイヤルした番号を示す情報（受信ダイヤル番号）２４０３を保持している。
【００９０】
図２５は、トランクメモリである。このトランクメモリは、各々の交換装置が収容しているトランクの状態を示す情報（状態種別）２５０１を保持している。
【００９１】
なお、このトランクメモリに保持されている情報は、常時、全ての端末装置に対して呼制御メッセージで伝達され、図１８及び図１９に示される端末装置８側のトランクメモリにコピーされるものである。
【００９２】
§４．呼制御メッセージ
【００９３】
本実施の形態における交換装置と端末装置との間の通信プロトコルは、ＣＣＩＴＴ勧告のＩＳＤＮ基本インタフェースに準拠している。ただし、レイヤ３、即ち呼制御メッセージの内容については、以下に述べる構成としている。
【００９４】
なお、以下に説明する各呼制御メッセージは、Ｄチャネル上で伝送されるものである。
【００９５】
４．１  端末装置から交換装置方向の呼制御メッセージ
【００９６】
端末装置から交換装置に送信される呼制御メッセージを、図２６乃至図３１に示す。
【００９７】
それぞれの呼制御メッセージの先頭には、受信側が情報を識別するための識別子が付与されている。
【００９８】
図２６は、端末装置が発呼したときに送信される呼制御メッセージ（発呼情報）であり、識別子は、発呼情報識別子２６０１となっている。この発呼情報には、トランク発呼、内線発呼、オートダイヤルトランク発呼、及びオートダイヤル内線発呼等の発呼種別を示す情報（発呼種別）２６０２、左または右の発呼したハンドセットの種別を示す情報（ハンドセット種別）２６０３、発呼先のトランクの収容位置を示す情報または発呼に使用した内線メモリを示す情報（トランク収容位置番号／内線メモリ番号）２６０４、及びオートダイヤルで発呼した場合のダイヤル番号を示す情報（ダイヤル番号）２６０５が含まれる。
【００９９】
図２７は、着呼に端末装置が応答したときに送信される呼制御メッセージ（応答情報）であり、識別子は、応答情報識別子２７０１となっている。この応答情報には、トランク応答か内線応答かを示す情報（応答種別）２７０２、左または右の応答したハンドセットの種別を示す情報（ハンドセット種別）２７０３、応答したトランクの収容位置を示す情報または応答に使用した内線メモリを示す情報（トランク収容位置番号／内線メモリ番号）２７０４が含まれる。
【０１００】
図２８は、ダイヤルボタンを押したとき送信される呼制御メッセージ（ダイヤルボタン情報）であり、識別子は、ダイヤルボタン情報識別子２８０１となっている。このダイヤルボタン情報には、左または右のハンドセットの種別を示す情報（ハンドセット種別）２８０２、及び“１”〜“９”，“０”，“＊”，“＃”のダイヤル種別を示す情報（ダイヤルコード）２８０３が含まれる。
【０１０１】
図２９は、通話中の回線を切断するときに送信される呼制御メッセージ（切断情報）であり、識別子は、切断情報識別子２９０１となっている。この切断情報には、左ハンドセット側を切断するためのボタン‘左切断’８−８−１が押されたのか、右ハンドセット側を切断するためのボタン‘右切断’８−８−２が押されたのかを示す情報（ハンドセット種別）２９０２が含まれる。
【０１０２】
図３０は、交換装置から受信した呼制御メッセージの内線着呼情報（図３３）（詳細は後述する）に対して着呼が可能な場合に送信する呼制御メッセージ（内線着呼完了情報）であり、識別子は、内線着呼完了情報識別子３００１となっている。こり内線着呼完了情報は、着呼できた内線メモリを示す情報（内線メモリ番号）３００２、及び交換装置からの内線着呼情報（図３３）によって通知された発呼者の収容位置を示す情報（発呼者収容位置番号）３００３が含まれる。
【０１０３】
図３１は、交換装置から受信した呼制御メッセージの内線着呼情報（図３３）に対して着呼が不可能な場合に送信する呼制御メッセージ（内線着呼不完了情報）であり、識別子は、内線着呼不完了情報識別子３１０１となっている。この内線着呼不完了情報は、交換装置からの内線着呼情報（図３３）によって通知された発呼者の収容位置を示す情報（発呼者収容位置番号）３１０２が含まれる。
【０１０４】
４．２  交換装置から端末装置方向の呼制御メッセージ
【０１０５】
交換装置から端末装置に送信される呼制御メッセージを図３２及び図３３に示す。
【０１０６】
図３２は、交換装置側で状態の変化が発生する毎に端末装置に対して通知するための呼制御メッセージ（状態情報）であり、識別子は、状態情報識別子３２０１となっている。この状態情報には、トランク空、トランク通話、トランク着呼、内線空、及び内線通話等の状態の変化の内容を示す情報（状態種別）３２０２、左または右のハンドセットの種別を示す情報（ハンドセット種別）３２０３、状態が変化したトランクの収容位置を示す情報または状態が変化した内線メモリを示す情報（トランク収容位置番号／内線メモリ番号）３２０４、及び複数の端末装置から発呼、着呼応答があった場合に、その発呼、着呼応答を受付けた端末装置を通知するための情報（端末番号）３２０５が含まれている。
【０１０７】
交換装置で発生する状態変化のうち、内線着呼に関しては、他の状態変化とは異なる呼制御を必要とするので独自の呼制御メッセージを形成する。
【０１０８】
図３３は、内線着呼のときに送信する呼制御メッセージ（内線着呼情報）であり、識別子は、内線着呼情報識別子３３０１となっている。この内線着呼情報には、内線発呼側の収容位置を示す情報（発呼者収容位置番号）３３０２、及び発呼側端末装置の内線番号を示す情報（発呼者内線番号）３３０３が含まれる。
【０１０９】
交換装置は、この内線着呼情報を端末装置に送信して、端末装置からその応答情報である内線着呼完了情報（図３０）か、もしくは内線着呼不完了情報（図３１）かのどちらかの情報を受信してから呼制御を遂行する。これは、この場合の呼制御の決定権（接続か規制か）は端末装置が有し、これによって、複数の交換装置で、同一端末装置に対して同じに内線着呼が発生しても、矛盾なく呼制御を実行することができる。
【０１１０】
§５．ハンドセット選択制御
【０１１１】
次に、端末装置で発呼、着呼応答したとき、左右ハンドセットの選択手順について説明する。
【０１１２】
本実施の形態におけるディーリング通話用の端末装置は、従来型の電話端末のようにフックスイッチを具備しない。これは、一般的に、ハンドセットを端末装置の盤面上の定位置に置くよりも、デスク上のワークエリアに置いておく方がより迅速な操作ができにため、ディーリング業務のように迅速な動作を必要とするものに向いているためである。
【０１１３】
従って、発呼は、ボタン‘トランク１’８−４−１乃至‘トランクｐ’８−４−ｐ、ボタン‘内線１’８−２−１または‘内線２’８−２−２、並びにボタン‘オートダイヤル１’８−６−１乃至‘オートダイヤルｑ’８−６−ｑのいずれかのボタンを押したときに発生し、切断は、ボタン‘左切断’８−８−１、及び‘右切断’８−８−２を押したときにそれぞれのボタンに対応するハンドセットに対して発生する。
【０１１４】
ここで、発呼または着呼応答したとき、左右のハンドセットのうちどちらに接続するかを予めルール化しておく必要がある。
【０１１５】
図３４及び図３５は、本実施の形態におけるハンドセットの選択の方法について説明するフローチャートであり、これは、端末装置の固定記憶装置８−１５内にプログラム化されている。
【０１１６】
以下、図３４及び図３５に基づいてこの選択の方法について説明する。
【０１１７】
まず、端末装置の扱者がボタン‘トランク１’８−４−１乃至‘トランクｐ’８−４−ｐ、ボタン‘内線１’８−２−１または‘内線２’８−２−２、並びにボタン‘オートダイヤル１’８−６−１乃至‘オートダイヤルｑ’８−６−ｑのいずれかのボタンを押すと、端末装置の呼制御プロセッサ８−１４は、それを検出し（ステップ３４００）、図１０に示すハンドセットモードテーブルを参照して扱者が右利きか左利きかを判別する（ステップ３４０１）。ここで、右利きである場合は、ステップ３４０２乃至ステップ３４１４を順次実行し、また、左利きである場合は、ステップ３４１５乃至ステップ３４２７を順次実行するが、右利きの場合のフローと、左利きの場合のフローとは左右対称に制御されるので、ここでは、右利きの場合についてのみ説明する。
【０１１８】
次に、呼制御プロセッサ８−１４は、図２０に示すダブルハンドボタンメモリを参照して、現在シングルハンドモードがダブルハンドモードかを判別し（ステップ３４０２）、シングルハンドモードのときは左のハンドセット８−１−１のみ使用可能であるので、図１４に示す左（Ｌ）ハンドセットメモリを参照して、空の状態か通話中の状態かを判別する（ステップ３４０３）。ここで、空の状態の場合、左ハンドセットを選択決定し（ステップ３４０４）、通話中の状態の場合、図１２に示す左ハンド連続モードテーブルを参照して、連続を許容しているか判別をする（ステップ３４０５）。この判別の結果、許容の場合は、現在左ハンドセットで通話中の呼を自動的に切断して、新たに左ハンドセット発呼または着呼応答する（ステップ３４０６）。また、連続を禁止している場合は、押したボタンを無効とする（ステップ３４０７）。
【０１１９】
一方、ステップ３４０２の判別の結果、ダブルハンドモードの場合は、同様に、まず、図１４に示す左（Ｌ）ハンドセットメモリを参照して、空の状態か通話中の状態かを判別する（ステップ３４０８）。ここで、空の状態の場合、左ハンドセットを選択決定し（ステップ３４０９）、通話中の状態の場合、図１５に示す右（Ｒ）ハンドセットメモリを参照して、空の状態か通話中の状態かを判別する（ステップ３４１０）。
【０１２０】
この判別の結果、空の状態の場合、右ハンドセットを選択決定し（ステップ３４１１）、また、通話中の状態の場合、図１３に示す右ハンド連続モードテーブルを参照して、連続を許容しているか判別する（ステップ３４１２）。そして、この判別の結果、許容の場合は、現在右ハンドセットで通話中の呼を自動的に切断して、新たに右ハンドセット発呼または着呼応答し（ステップ３４１３）、また、連続を禁止している場合は、押したボタンを無効とする（ステップ３４１４）。
【０１２１】
以上、左右のハンドセットを選択する手順を説明したが、以降の呼制御の詳細な説明においては、この手順で左右のハンドセットが選択されることを前提とする。
【０１２２】
§６．呼制御
【０１２３】
図３６乃至図４１は、呼制御についてのシーケンスを示す図である。
【０１２４】
図４２乃至図５０は、端末装置の呼制御を説明するフローチャートであり、また、図５１乃至図６０は、交換装置の呼制御を説明するフローチャートである。
【０１２５】
以下、本実施の形態では、トランク発呼（図３６）、トランク着呼（図３７）、内線発呼（図３８）、内線着呼（図３９）、オートダイヤルトランク発呼（図４０）、及びオートダイヤル内線発呼（図４１）について、それぞれ、図４２乃至図５０、及び図５１乃至図６０のフローチャートを対応づけて説明する。
【０１２６】
６．１  トランク発呼
【０１２７】
図３６において、端末装置の扱者が、ボタン‘トランク１’８−４−１乃至‘トランクｐ’８−４−ｐのいずれかのボタンを押すと（図３６、３６０１）、端末装置の呼制御プロセッサ８−１４では、図４２により、何らかのイベントが発生したことを認識し（ステップ４２０１）、内容を解析する（ステップ４２０２）。この結果、ボタン‘トランク１’８−４−１乃至‘トランクｐ’８−４−ｐのいずれかのボタンが押されたことを検出すると（図３６、３６０２）、図４３に示すトランクボタン検出処理を実行する。
【０１２８】
図４３において、まず、図７に示すトランクボタンテーブルを参照して、押されたボタンに対応するテーブルからトランク収容位置番号７０２と収容される交換装置番号７０１とを抽出し（ステップ４３０１）、また、図１８または図１９に示すトランクメモリにより該当するトランクの状態を判別する（ステップ４３０２）。この判別の結果、空の場合は空ルート（４３−２）によりトランク発呼処理を実行する。
【０１２９】
まず、図３４及び図３５による手順で、トランク収容位置番号、及び選択したハンドセット情報を含み、トランク発呼であることを示す発呼情報（図２６）を編集し（ステップ４３０３）し、図７に示すトランクボタンテーブルから抽出した交換装置に対してその発呼情報（図３６、３６０３）を送出する（ステップ４３０４）。次に、図１８または図１９に示すトランクメモリの該当するトランクの領域を予約中に設定し（ステップ４３０５）、図１４の左ハンドセットメモリまたは図１５の右ハンドセットメモリに状態が通話中になったことと、通話中の交換装置番号及びボタン‘トランク１’８−４−１乃至‘トランクｐ’８−４−ｐのうちの押されたトランクボタン番号を設定する（ステップ４３０６）。また、図１４または図１５のハンドセットメモリに基づいて、通話路スイッチ８−３０を制御し通話路を閉成する（ステップ４３０７）。
【０１３０】
一方、交換装置は、図５１に示す処理によって、何らかのイベントが発生したことを検出し（ステップ５１０１）、その内容を解析した結果（ステップ５１０２）、端末装置から発呼情報（図３６、３６０３）を受信したことを認識すると（図３６、３６０４）、図５４及び図５５に示す発呼情報受信処理を実行する。
【０１３１】
まず、交換装置は、発呼情報（図３６、３６０３）に含まれている発呼種別を判定し（ステップ５４０１）、トランク発呼であることを認識してトランク発呼ルート（５４−１）によりトランク発呼処理を実行する。
【０１３２】
まず、図２５に示すトランクメモリにより該当トランクの状態を判定し（ステップ５４０２）、空以外の場合には発呼できないので、発呼情報を送出した端末装置のハンドセットモード対応の端末装置収容位置に話中音（ＢＴ音）を送出する。また、トランクが空きの場合には、ハンドセット種別、トランク収容位置番号、及び発呼端末番号を含み、トランク通話であることを示す状態情報（図３６、３６０７）を編集し（ステップ５４０３）、全端末装置に対してその状態情報（図３６、３６０７）を送出する（ステップ５４０４）。（図３６において、符号ＡＬＬで示される記号は、全ての端末装置に送出することを意味している。）
【０１３３】
次に、図２５に示すトランクメモリの該当する領域を通話中に設定し（ステップ５４０５）、図２４に示す端末メモリの該当するハンドセットの領域にトランク接続中であることと、そのトランクの収容位置番号を設定する（ステップ５４０６）。続いて、通話路スイッチ１Ａまたは１Ｂを制御して、ハンドセット対応の端末収容位置とトランク収容位置との間に通話路を閉成し（ステップ５４０７）、トランクに対して発呼オーダを送出して回線を起動する（ステップ５４０８）。
【０１３４】
以上のまでの呼制御によって、端末装置の扱者は、ハンドセットで回線からの発信音（ＤＴ音）を聴取できる。
【０１３５】
また、図４２の処理によって、状態情報（図３６、３６０７）を受信したことを認識した全ての端末装置は、図４９及び図５０に示す状態情報受信処理を実行する。
【０１３６】
まず、受信した状態情報（図３６、３６０７）に含まれる状態種別を判定し（ステップ４９０１）、トランク通話ルート（４９−１）のトランク通話処理を実行する。トランクが図７に示されるトランクボタンテーブルに登録されているか判別し（ステップ４９０２）、登録されていなければこの状態情報は無視される。登録されていれば、この状態情報に含まれている端末番号と、図９に示す自端末番号とを比較する（ステップ４９０３）。  一致していれば、自端末装置が発呼した結果としての状態情報であることが分かり、状態情報に含まれているハンドセット種別を判定し（ステップ４９０４）、左ハンドセットであれば、図４に示すボタン‘トランク１’８−４−１乃至‘トランクｐ’８−４−ｐに対応するランプ８−５−１乃至８−５−ｐのうちの該当するランプを緑に点灯させ（ステップ４９０５）、右ハンドセットであれば橙に点灯させる（ステップ４９０６）。これによって、扱者は、左右のハンドセットのうちのどのハンドセットで、どのボタンで通話しているのか一目で認識することができる。
【０１３７】
一方、状態情報に含まれている端末番号が他端末番号であるときは、ボタン‘トランク１’８−４−１乃至‘トランクｐ’８−４−ｐに対応するランプ８−５−１乃至８−５−ｐのうちの該当するランプを赤に点灯させ（ステップ４９０７）、他端末使用中の表示をする。
【０１３８】
次に、本ルートは、後述する着呼応答時も通過するため着呼リンガを停止させる処理を行なう（ステップ４９０８）。なお、他に着呼中のボタンがあって、着呼鳴動中の場合には鳴動を継続する。最後に、図１８または図１９に示すトランクメモリの該当する領域に通話中を設定し（ステップ４９０９）、処理を終了する。
【０１３９】
次に、扱者は、ＤＴ音を聞いている状態から、図４に示すダイヤルボタン群８−１０で必要桁ダイヤルする（図３６、３６１０）。すると、端末装置の呼制御プロセッサ８−１４は、図４２の処理によってこれを識別し（図３６、３６１１）、図４６に示すダイヤルボタン検出処理を実行する。このダイヤルボタン検出処理では、ハンドセット種別、及びダイヤル番号を含むダイヤルボタン情報を編集し（ステップ４６０１）、図３４及び図３５に示すハンドセット選択手順に従って決定されたハンドセットメモリ（図１４または図１５）に保持されている交換装置に対して、このダイヤルボタン情報（図３６、３６１２）を送出する（ステップ４６０２）。また、呼制御プロセッサ８−１４は、ダイヤルされた数字を数字表示器コントローラ８−２５に送信し、数字表示器８−９に順次表示する（ステップ４６０３）。
【０１４０】
一方、交換装置は、図５１によってダイヤルボタン情報（図３６、３６１２）を受信したことを認識すると（図３６、３６１３）、図５９に示されるダイヤルボタン情報受信処理を実行する。
【０１４１】
まず、図２４に示すハンドセット対応端末メモリを参照して、接続種別を判定する（ステップ５９０１）。ここでは、トランク接続であるのでトランク接続中ルート（５９−１）で、トランク接続中の処理を実行し、図２４に示す端末メモリに保持されているトランクに対しダイヤルのオーダを送出する（ステップ５９０２）。この後、トランクが必要桁のダイヤルの送出を終了し（図３６、３６１４）、相手加入者が応答すれば通話状態なる（図３６、３６１５）。
【０１４２】
通話が終了すると、扱者は、通話を切断したいハンドセットの対応する切断ボタン、即ち、図４のボタン‘左切断’８−８−１または‘右切断’８−８−２のいずれかを押す（図３６、３６１６）。すると、呼制御プロセッサ８−１４は、図４２によってこれを検出して（図３６、３６１７）、図４７に示す切断ボタン検出処理を実行する。
【０１４３】
まず、ハンドセット種別を含む切断情報（図３６、３６１８）を編集し（ステップ４７０１）、図１４または図１５に示すハンドセットメモリに保持されている交換装置に送出する（ステップ４７０２）。続いて、通話路スイッチ８−３０を制御して、切断情報を送出した交換装置との間の通話路を開放し（ステップ４７０４）、そのハンドセットメモリの該当する領域を空に設定して（ステップ４７０５）、処理を終了する。
【０１４４】
一方、交換装置は、図５１によって切断情報（図３６、３６１８）を受信したことを認識すると（図３６、３６１９）、図６０に示す切断情報受信処理を実行する。
【０１４５】
まず、図２４に示す端末メモリを参照して、対応するハンドセットの接続種別を判定する（ステップ６００１）。ここでは、トランク接続なのでトランク接続中ルート（６０−１）が選択され、トランク接続中の処理を実行する。
【０１４６】
まず、図２４に示す端末メモリに保持されているトランク収容位置番号を抽出し（ステップ６００２）、トランク収容位置番号を含みトランクが空きになったことを示す状態情報（図３６、３６２１）を編集し（ステップ６００３）、その編集した状態情報（図３６、３６２１）を全端末装置に送出する（ステップ６００４）。続いて、図２５に示すトランクメモリの該当する領域を空に設定し（ステップ６００５）、通話路スイッチ１Ａ，１Ｂを制御してハンドセットに対応する端末収容位置とトランク収容位置との間の通話路を開放し（ステップ６００６）する。次いで、トランクに対して切断のオーダを送出し（ステップ６００７）、回線を開放する（図３６、３６２０）とともに、図２４に示す端末メモリの該当する領域を空に設定し（ステップ６００８）、処理を終了する。
【０１４７】
また、図４２によって、交換装置から状態情報（図３６、３６２１）を受信したことを検出した全ての端末装置は、図４９及び図５０に示す状態情報受信処理を実行する。
【０１４８】
まず、受信した状態情報に含まれる状態種別を判別する（ステップ４９０１）。ここでは、トランク空ルート（４９−２）が選択され、トランク空処理を実行する。
【０１４９】
このトランク空処理では、まず、図７に示すトランクボタンテーブルに該当するトランクが登録されているか判別し（ステップ４９１０）、登録されていなければこの情報を無視する。登録されているときは、図４に示すランプ８−５−１乃至８−５−ｐのうち対応するトランクのランプを滅灯させ（ステップ４９１１）、図１８または図１９に示すトランクメモリのうち該当する領域を空に設定し（ステップ４９１２）、処理を終了する。
【０１５０】
以上のとおり、トランク発呼に対して一連の呼制御が行なわれる。
【０１５１】
６．２  トランク着呼
【０１５２】
図３７において、回線から交換装置に着呼が生じ、交換装置が、図５１よってその着呼を検出すると（図３７、３７０１）、図５２に示すトランク着呼検出処理を実行する。
【０１５３】
まず、交換装置は、着呼してきたトランクの収容位置を含み、トランク着呼であることを示す状態情報（図３７、３７０２）を編集し（ステップ５２０１）、その状態情報（図３７、３７０２）を全端末装置に対して送出し（ステップ５２０２）、図２５に示すトランクメモリの該当する領域を着信中に設定する（ステップ５２０３）。
【０１５４】
一方、端末装置は、図４２によって交換装置から状態情報（図３７、３７０２）を受信したことを認識すると（図３７、３７０３）、図４９及び図５０に示す状態情報受信処理を実行する。
【０１５５】
端末装置は、まず、受信した状態情報に含まれている状態種別を判定する（ステップ４９０１）。ここでは、トランク着呼ルート（４９−３）が選択され、トランク着呼処理を実行する。
【０１５６】
このトランク着呼処理で、まず、図７に示すトランクボタンテーブルに該当するトランクが登録されているか判別し（ステップ４９１３）、登録されていなければこの状態情報は無視される。登録されているときには、図４に示すボタン‘トランク１’８−４−１乃至‘トランクｐ’８−４−ｐに対応するランプ８−５−１乃至８−５−ｐのうちの該当するランプを赤で点滅表示し（ステップ４９１４）、図７のトランクボタンテーブルに登録されている着呼音種別に従ってリンガを鳴動させる（ステップ４９１５）。次に、図１８または図１９に示すトランクメモリのうちの該当する領域に着呼中を示す情報を設定し（ステップ４９１６）、扱者の応答を待つ。
【０１５７】
いずれかの端末装置の扱者が、ランプ８−５−１乃至８−５−ｐのいずれかの赤で点滅しているランプに対応するボタン（ボタン‘トランク１’８−４−１乃至‘トランクｐ’８−４−ｐのいずれか）を押すと（図３７、３７０６）、呼制御プロセッサ８−１４は、図４２によって、着信に応答したことを検出し（図３７、３７０７）、図４３に示すトランクボタン検出処理を実行する。
【０１５８】
このトランクボタン検出処理では、まず、図７に示すトランクボタンテーブルを参照して、押されたボタン（ボタン‘トランク１’８−４−１乃至‘トランクｐ’８−４−ｐのいずれか）に対応するテーブルからトランク収容位置と、トランクが収容されている交換装置番号とを抽出し（ステップ４３０１）、それに基づいて図１８または図１９に示すトランクメモリより該当するトランクの状態を判定する（ステップ４３０２）。ここでは、着呼中であるので着呼中ルート（４３−３）が選択され、トランク応答処理を実行する。
【０１５９】
このトランク応答処理では、まず、選択したハンドセット種別の情報を含み、トランク応答することを示す応答情報（図３７、３７０８）を編集し（ステップ４３０８）、図７に示すトランクボタンテーブルから抽出した交換装置番号に対応する交換装置に対してその応答情報（図３７、３７０８）を送出する（ステップ４３０９）。続いて、図１４または図１５に示すハンドセットメモリに、状態が通話になったことと、通話中の交換装置の番号及び押したボタン番号（ボタン‘トランク１’８−４−１乃至‘トランクｐ’８−４−ｐのいずれか）を設定し（ステップ４３０６）、また、図１４または図１５に示すハンドセットメモリに基づいて、通話路スイッチ８−３０を制御し、通話路を閉成する（ステップ４３０７）。
【０１６０】
一方、交換装置は、図５１によって、端末装置から応答情報（図３７、３７０８）を受信したことを検出すると（図３７、３７０９）、図５８に示す応答情報受信処理を実行する。この応答情報受信処理では、まず、受信した応答情報に含まれている応答種別を判定する（ステップ５８０１）。ここでは、トランク応答であるのでトランク応答ルート（５８−１）が選択され、トランク応答処理を実行する。
【０１６１】
このトランク応答処理では、まず、図２５に示されるトランクメモリより該当するトランクの状態を判定し（ステップ５８０２）、着呼中以外の場合は、着呼応答できないので、ハンドセットに対応する端末収容位置に話中音（ＢＴ音）を送出する（ステップ５８０９）。トランクが着呼中の場合には、ハンドセット種別、トランク収容位置番号、及び応答端末番号を含み、トランク通話を示す状態情報（図３７、３７１２）を編集し（ステップ５８０３）、全端末装置に対してその状態情報（図３７、３７１２）を送出する（ステップ５８０４）。続いて、図２５に示すトランクメモリの該当する領域を通話中に設定し（ステップ５８０５）、図２４に示す端末メモリのそのハンドセットに対応する領域に、トランク接続であること、及びトランクの収容位置番号を設定する（ステップ５８０６）。次に、通話路スイッチ１Ａ，１Ｂを制御してハンドセットに対応する端末収容位置とトランク収容位置との間に通話路を閉成し（ステップ５８０７）、トランクに応答オーダを送出して（ステップ５８０８）回線に応答する。
【０１６２】
また、図４２によって、交換装置からの状態情報（図３７、３７１２）を受信したことを検出した（図３７、３７１３）端末装置は、図４９及び図５０に示す状態情報受信処理を実行する。
【０１６３】
端末装置は、まず、受信した状態情報に含まれている状態種別を判定する（ステップ４９０１）。ここでは、トランク通話ルート（４９−１）が選択され、トランク通話処理を実行する。
【０１６４】
このトランク通話処理は、まず、トランクが図７に示されるトランクボタンテーブルに登録されているか判別し（ステップ４９０２）、登録されていなければこの状態情報は無視される。登録されていれば、この状態情報に含まれている端末番号と、図９に示す自端末番号とを比較する（ステップ４９０３）。一致していれば、自端末装置が応答した結果としての状態情報であることが分かり、状態情報に含まれているハンドセット種別を判定し（ステップ４９０４）、左ハンドセットであれば、図４に示すボタン‘トランク１’８−４−１乃至‘トランクｐ’８−４−ｐに対応するランプ８−５−１乃至８−５−ｐのうちの該当するランプを緑に点灯させ（ステップ４９０５）、また、右ハンドセットであれば橙に点灯させる（ステップ４９０６）。これによって、扱者は、左右のハンドセットのうちのどのハンドセットで、どのボタンで通話しているのか一目で認識することができる。
【０１６５】
一方、状態情報に含まれている端末番号が他端末番号であるときは、ボタン‘トランク１’８−４−１乃至‘トランクｐ’８−４−ｐに対応するランプ８−５−１乃至８−５−ｐのうちの該当するランプを赤に点灯させ（ステップ４９０７）、他端末使用中の表示をする。次に、着呼リンガを停止させる処理を行なう（ステップ４９０８）。なお、他に着呼中のボタンがあって、着呼鳴動中の場合には鳴動を継続する。最後に、図１８または図１９に示すトランクメモリの該当する領域に通話中を設定し（ステップ４９０９）、処理を終了する。
【０１６６】
以上の呼制御によって、応答操作をした端末装置の扱者は、選択されたハンドセットを通じて発呼加入者と通話状態になる（図３７、３７１５）。
【０１６７】
通話が終了すると、扱者は、通話を切断したいハンドセットの対応する切断ボタン、即ち、図４のボタン‘左切断’８−８−１または‘右切断’８−８−２のいずれかを押して切断操作をするが、以降の処理は、図３６に示すトランク発呼の場合の切断処理と同様の呼制御なので説明を省略する。
【０１６８】
６．３  内線発呼
【０１６９】
図３８において、端末装置の扱者が、ボタン‘内線１’８−２−１または‘内線２’８−２−２を押すと（図３８、３８０１）、端末装置の呼制御プロセッサは、図４２によって、それを検出して（図３８、３８０２）、図４４に示す内線ボタン検出処理を実行する。
【０１７０】
まず、押されたボタン（ボタン‘内線１’８−２−１または‘内線２’８−２−２のいずれか）に対応する内線メモリ（図１６に示す内線メモリ１または図１７に示す内線メモリ２のいずれか）により、内線状態を判定する（ステップ４４０１）。ここで、状態が空の場合は空ルート（４４−２）を選択し、内線発呼処理を実行する。
【０１７１】
この内線発呼処理では、まず、選択したハンドセット情報、及び内線メモリ番号を含み、内線発呼であることを示す発呼情報（図３８、３８０３）を編集し（ステップ４４０２）、図１１に示す発呼交換装置番号テーブルを参照して、その発呼交換装置番号テーブルに登録されている交換装置にその発呼情報（図３８、３８０３）を送出する（ステップ４４０３）。次に、図１６または図１７に示す押されたボタン（ボタン‘内線１’８−２−１または‘内線２’８−２−２のいずれか）に対応する内線メモリを予約中に設定し（ステップ４４０４）、図１４または図１５に示すハンドセットメモリに、状態が通話中になったことと、通話中の交換装置番号、及び通話中の内線ボタン番号を設定する（ステップ４４０５）。次に、通話路スイッチ８−３０を制御し、図１４または図１５に示すハンドセットメモリに基づいて通話路を閉成する（ステップ４４０６）。
【０１７２】
一方、交換装置は、図５１によって、端末装置から発呼情報（図３８、３８０３）を受信したことを検出すると（図３８、３８０４）、図５４及び図５５に示す発呼情報受信処理を実行する。
【０１７３】
まず、受信した発呼情報に含まれる発呼種別を判定する（ステップ５４０１）。ここでは、内線発呼であるので内線発呼ルート（５４−２）が選択され、内線発呼処理を実行する。
【０１７４】
この内線発呼処理では、まず、ハンドセット種別、及び内線メモリ番号を含み、内線通話であることを示す情報を含む状態情報（図３８、３８０６）を編集し（ステップ５４１０）、その状態情報（図３８、３８０６）を内線発呼を行なった端末装置に対して送出する（ステップ５４１１）。次に、図２２または図２３に示す内線メモリの該当する領域に状態が通話中になったことと、ハンドセット種別を設定し（ステップ５４１２）、また、図２４に示す端末メモリの該当する領域に内線接続であることと、内線メモリ番号を設定する（ステップ５４１３）。続いて、発呼したハンドセットに対応する端末収容位置に発信音（ＤＴ音）を送出し（ステップ５４１４）、処理を終了する。
【０１７５】
また、端末装置は、図４２によって、交換装置から状態情報（図３８、３８０６）を受信したことを検出すると（図３８、３８０７）、図４９及び図５０に示す状態情報受信処理を実行する。
【０１７６】
まず、受信した状態情報に含まれている状態種別を判定する（ステップ４９０１）。ここでは、内線通話であるので内線通話ルート（４９−４）が選択され、内線通話処理を実行する。
【０１７７】
この内線通話処理では、まず、受信した状態情報に含まれるハンドセット種別を判定し（ステップ４９１７）、左ハンドセットであれば図４に示すボタン‘内線１’８−２−１または‘内線２’８−２−２に対応するランプ８−３−１またはランプ８−３−２のうちの対応するランプを緑に点灯させ（ステップ４９１８）、右ハンドセットであれば橙に点灯させる（ステップ４９１９）。これによって扱者は、左右のどちらのハンドセットで、どの内線ボタンを使用して通話をしているのか一目で認識することができる。次に、本ルートは、後述する内線着呼応答時にも通過するため、着呼リンガを停止させる処理を実行する（ステップ４９２０）が、ここでは意味を持たない。なお、他に着呼中のボタンがあって、着呼鳴動中の場合には鳴動を継続する。最後に、図１６または図１７に示す内線メモリのうちの該当する領域を通話中の状態に設定する（ステップ４９２１）。
【０１７８】
次に扱者は、交換装置からのＤＴ音を聞いている状態から、図４にに示すダイヤルボタン群８−１０で必要桁ダイヤルする（図３８、３８０９）。すると、端末装置の呼制御プロセッサ８−１４は、図４２の処理によってこれを識別し（図３８、３８１０）、図４６に示すダイヤルボタン検出処理を実行する。このダイヤルボタン検出処理では、ハンドセット種別、及びダイヤルコードを含むダイヤルボタン情報（図３８、３８１１）を編集し（ステップ４６０１）、図３４及び図３５に示すハンドセット選択手順に従って決定されたハンドセットメモリ（図１４または図１５）に保持されている交換装置に対して、このダイヤルボタン情報（図３８、３８１１）を送出する（ステップ４６０２）。また、呼制御プロセッサ８−１４は、ダイヤルされた数字を数字表示器コントローラ８−２５に送信し、数字表示器８−９に順次表示する（ステップ４６０３）。
【０１７９】
一方、交換装置は、図５１によってダイヤルボタン情報（図３８、３８１１）を受信したことを認識すると（図３８、３８１２）、図５９に示されるダイヤルボタン情報受信処理を実行する。
【０１８０】
まず、図２４に示すハンドセット対応の端末メモリを参照して、接続種別を判定する（ステップ５９０１）。ここでは、内線接続であるので内線接続中ルート（５９−２）で、内線接続中の処理を実行し、図２４に示す端末メモリにダイヤルを蓄積する（ステップ５９０３）。この後、ダイヤルボタン情報の受信が完了したかを判定し（ステップ５９０４）、完了していないときは再度ダイヤルボタン情報を受信し、完了したときは図２４に示す発呼中の端末メモリを待機状態にする（ステップ５９０５）。そして、図５３に示す内線着呼検出処理（図３８、３８１３）を実行するが、この内線着呼検出処理については、次項で詳述する。
【０１８１】
ここで、着呼している端末装置が応答すると通話状態となる（図３８、３８１４）。
【０１８２】
通話が終了すると、扱者は、トランク発呼の場合と同様に、通話を切断したいハンドセットの対応する切断ボタン、即ち、図４のボタン‘左切断’８−８−１または‘右切断’８−８−２のいずれかを押す（図３８、３８１５）。すると、呼制御プロセッサ８−１４は、図４２によってこれを検出して（図３８、３８１６）、図４７に示す切断ボタン検出処理を実行する。
【０１８３】
まず、ハンドセット種別を含む切断情報（図３８、３８１７）を編集し（ステップ４７０１）、図１４または図１５に示すハンドセットメモリに保持されている交換装置に送出する（ステップ４７０２）。続いて、通話路スイッチ８−３０を制御して、切断情報を送出した交換装置との間の通話路を開放し（ステップ４７０４）、そのハンドセットメモリの該当する領域を空に設定して（ステップ４７０５）、処理を終了する。
【０１８４】
一方、交換装置は、図５１によって切断情報（図３８、３８１７）を受信したことを認識すると（図３８、３８１８）、図６０に示す切断情報受信処理を実行する。
【０１８５】
まず、図２４に示す端末メモリを参照して、対応するハンドセットの接続種別を判定する（ステップ６００１）。ここでは、内線接続なので内線接続中ルート（６０−２）が選択され、内線接続中の処理を実行する。
【０１８６】
まず、図２４に示す端末メモリに保持されている内線メモリ番号を抽出し（ステップ６００９）、内線が空きになったことを示す状態情報を編集し（ステップ６０１０）、その編集した状態情報（図３８、３８２０）を切断した端末装置に送出する（ステップ６０１１）。続いて、通話路スイッチ１Ａ，１Ｂを制御して、ハンドセットに対応する端末収容位置と図２２または図２３に示す内線メモリに保持されている相手側収容位置との間の通話路を開放し（ステップ６０１２）、相手側収容位置にＢＴ音を送出する（ステップ６０１３）。続いて、図２２または図２３に示す内線メモリの該当する領域を空に設定し（ステップ６０１４）、また、図２４に示す端末メモリの該当する領域を空に設定し（ステップ６０１５）、処理を終了する。
【０１８７】
また、端末装置は、図４２によって、交換装置から状態情報（図３８、３８２０）を受信したことを検出すると（図３８、３８２１）、図４９及び図５０に示す状態情報受信処理を実行する。
【０１８８】
まず、受信した状態情報に含まれる状態種別を判別する（ステップ４９０１）。ここでは、内線空ルート（４９−５）が選択され、内線空処理を実行する。
【０１８９】
この内線空処理では、まず、受信した状態情報に基づいて、図４に示すボタン‘内線１’８−２−１または‘内線２’８−２−２に対応するランプ８−３−１またはランプ８−３−２のうちの対応するランプを滅灯し（ステップ４９２２）、着呼リンガを停止する（ステップ４９２３）。そして、図１６または図１７に示す内線メモリのうち該当する領域を空に設定し（ステップ４９２４）、処理を終了する。
【０１９０】
以上のとおり、内線発呼に対して一連の呼制御が行なわれる。
【０１９１】
６．４  内線着呼
【０１９２】
図３９において、交換装置は、図５１によって、内線着呼を検出すると（図３９、３９０１）、図５３に示す内線着呼検出処理を実行する。
【０１９３】
この内線着呼検出処理では、まず、発呼者収容位置番号、発呼者内線番号を含む内線着呼であることを示す内線着呼情報（図３９、３９０２）を編集し（ステップ５３０１）、内線着呼した端末装置に対してその内線着呼情報（図３９、３９０２）を送出する。
【０１９４】
一方、端末装置は、図４２によって、交換装置から内線着呼情報を受信したことを検出すると（図３９、３９０３）、図４８に示す内線着呼検出処理を実行する。
【０１９５】
この内線着呼検出処理では、まず、図１６に示す内線メモリ１を参照し、ボタン‘内線１’８−２−１に対応する内線が空の状態か検出し（ステップ４８０１）、空であればステップ４８０３以降の処理を実行する。空でなければ図１７に示す内線メモリ２を参照し、ボタン‘内線２’８−２−２に対応する内線が空の状態か検出する（ステップ４８０２）。即ち、このステップ４８０１及びステップ４８０２は、内線に空があるかを検出し、空状態の内線メモリを捕捉する処理である。この結果、空の内線メモリがなければ、発呼者収容位置番号を含み、内線着呼ができないことを示す内線着呼不完了情報（図３９、３９０９）を編集し（ステップ４８０９）、その内線着呼不完了情報（図３９、３９０９）を内線着呼情報を送出してきた交換装置に対して送出する（ステップ４８１０）。
【０１９６】
また、内線メモリを捕捉できた場合は、その捕捉した内線メモリの番号及び発呼者収容位置番号を含み、内線着呼が可能であることを示す内線着呼完了情報（図３９、３９０６）を編集し（ステップ４８０３）、その内線着呼完了情報（図３９、３９０６）を内線着呼情報を送出してきた交換装置に対して送出する（ステップ４８０４）。次に、図１６または図１７に示す内線メモリのうち捕捉した内線メモリに着呼中になったことと、着呼検出をした交換装置番号及び発呼者内線番号を保持する（ステップ４８０５）。次に、ボタン‘内線１’８−２−１または‘内線２’８−２−２に対応するランプ８−３−１またはランプ８−３−２のうちの対応するランプを赤で点滅させて（ステップ４８０６）着呼表示させるとともに、図４に示す着呼リンガ８−１３を鳴動させて（ステップ４８０７）着呼を可聴表示する。また、発呼者内線番号を、図４に示す数字表示器８−９に表示して（ステップ４８０８）、処理を終了する。
【０１９７】
一方、交換装置では、図５１によって端末装置から内線着呼不完了情報を受信したことを検出すると（図３９、３９１０）、図５７に示す内線着呼不完了情報受信処理を実行し、発呼者収容位置に話中音（ＢＴ音）を送出する（ステップ５７０１）。
【０１９８】
また、交換装置は、図５１によって端末装置から内線着呼完了情報を受信したことを検出すると（図３９、３９０７）、図５６に示す内線着呼完了情報受信処理を実行する。
【０１９９】
この内線着呼完了情報受信処理では、まず、図２２または図２３に示す内線メモリのうちの該当する内線メモリの領域に着呼中になったことと、発呼者の収容位置番号を設定し（ステップ５６０１）、図２４に示す端末メモリの発呼者側の収容位置に対応する領域に保持されている発呼者側の内線メモリ番号を抽出し、図２２または図２３に示す内線メモリの対応する領域に着呼側の収容位置番号を設定し（ステップ５６０２）、発呼者の収容位置に呼出音（ＲＢＴ音）を送出する（ステップ５６０３）。これによって、発呼者と着呼者との、それぞれが使用する内線メモリには、互いに相手側の収容位置が設定され、以降の呼制御を遂行する上で必要な情報が設定されたことになる。
【０２００】
次に、内線着呼している端末装置の扱者が、赤点滅しているランプ８−３−１またはランプ８−３−２に対応するボタン‘内線１’８−２−１または‘内線２’８−２−２を押し（図３９、３９１２）、端末装置の呼制御プロセッサ８−１４は、図４２によってそれを検出すると（図３９、３９１３）、図４４に示す内線ボタン検出処理を実行する。
【０２０１】
この内線ボタン検出処理では、まず、図１６または図１７に示す、押されたボタンに対応する内線メモリを参照して、内線の状態を判定する（ステップ４４０１）。ここでは、状態が着呼中であるので着呼中ルート（４４−３）が選択され、内線着呼に応答する処理を実行する。
【０２０２】
まず、図３４及び図３５の手順によって選択したハンドセット種別を含み、内線着呼に応答することを示す応答情報（図３９、３９１４）を編集し（ステップ４４０７）、図１６または図１７に示す内線メモリに保持されている交換装置に対して、その応答情報（図３９、３９１４）を送出する（ステップ４４０８）。続いて、図１４または図１５に示すハンドセットメモリに、状態が通話中になったことと、通話中の交換装置番号、及び通話中の内線ボタン番号を設定し（ステップ４４０５）、次に、通話路スイッチ８−３０を制御し、図１４または図１５に示すハンドセットメモリに基づいて通話路を閉成する（ステップ４４０６）。
【０２０３】
次に、交換装置は、図５１によって、端末装置から応答情報を受信したことを検出すると（図３９、３９１５）、図５８に示す応答情報受信処理を実行する。
【０２０４】
この応答情報受信処理では、まず、受信した応答情報に含まれる応答種別を判定する（ステップ５８０１）。ここでは、内線応答であるため内線応答ルート（５８−２）が選択され、内線応答処理を実行する。
【０２０５】
まず、内線通話であること、ハンドセット種別、及び内線メモリの番号を含む状態情報（図３９、３９１７）を編集し（ステップ５８１０）、内線応答した端末装置に対して、その状態情報（図３９、３９１７）を送出する（ステップ５８１１）。次に、図２２または図２３に示す内線メモリの該当する領域を通話中に設定し（ステップ５８１２）、図２４に示す端末メモリの該当するハンドセットの領域に、内線接続中であることと、内線メモリ番号を設定する（ステップ５８１３）。次いで、通話路スイッチ１Ａ，１Ｂを制御し、応答情報を送出した端末収容位置と、対応する内線メモリに保持されている発呼者収容位置との間に通話路を閉成する（ステップ５８１４）。そして、発呼者収容位置へのＲＢＴ音を停止し（ステップ５８１５）、処理を終了する。
【０２０６】
端末装置は、図４２によって、状態情報（図３９、３９１７）を受信したことを検出すると（図３９、３９１８）、図４９及び図５０に示す状態情報受信処理を実行する。
【０２０７】
この状態情報受信処理では、まず、状態情報に含まれている状態種別を判定する（ステップ４９０１）。ここでは、内線通話であるので、内線通話ルート（４９−４）が選択され、内線通話処理を実行する。
【０２０８】
この内線通話処理では、まず、受信した状態情報に含まれるハンドセット種別を判定し（ステップ４９１７）、左ハンドセットであれば図４に示すボタン‘内線１’８−２−１または‘内線２’８−２−２に対応するランプ８−３−１またはランプ８−３−２のうちの対応するランプを緑に点灯させ（ステップ４９１８）、右ハンドセットであれば橙に点灯させる（ステップ４９１９）。これによって扱者は、左右のどちらのハンドセットで、どの内線ボタンを使用して通話をしているのか一目で認識することができる。着呼リンガを停止させる（ステップ４９２０）。なお、他に着呼中のボタンがあって、着呼鳴動中の場合には鳴動を継続する。次に、図１６または図１７に示す内線メモリのうちの該当する領域を通話中の状態に設定し（ステップ４９２１）、処理を終了する。
【０２０９】
以上の呼制御によって応答操作した端末装置のハンドセットは、発呼側の端末装置と通話できる（図３９、３９２０）。
【０２１０】
通話が終了すると、扱者は、通話を切断したいハンドセットの対応する切断ボタン、即ち、図４のボタン‘左切断’８−８−１または‘右切断’８−８−２のいずれかを押して切断操作をするが、以降の処理は、図３８に示す内線発呼の場合の切断処理と同様の呼制御なので説明を省略する。
【０２１１】
６．５  オートダイヤルトランク発呼
【０２１２】
図４０において、端末装置の扱者が、ボタン‘オートダイヤル１’８−６−１乃至‘オートダイヤルｑ’８−６−ｑのうちのいずれかのボタンを押すと（図４０、４００１）、端末装置の呼制御プロセッサ８−１４は、図４２によって、これを検出し（図４０、４００２）、図４５に示すオートダイヤルボタン検出処理を実行する。
【０２１３】
このオートダイヤルボタン検出処理では、まず、図８に示すオートダイヤルテーブルのボタン‘オートダイヤル１’８−６−１乃至‘オートダイヤルｑ’８−６−ｑのうちの押されたボタンに対応する領域を参照し、オートダイヤルの種別を判定する（ステップ４５０１）。ここでは、トランクオートダイヤルが設定されているものとして、トランクルート（４５−１）のオートダイヤルトランク発呼処理を実行する。
【０２１４】
このオートダイヤルトランク発呼処理では、まず、図７に示すトランクボタンテーブルに登録されている捕捉優先順位をサーチして、一番優先順位の高いトランクを捕捉する（ステップ４５０２）。次に、図１８または図１９に示すトランクメモリのうち、その捕捉したトランクに対応する領域を参照して、トランクの状態を判定し（ステップ４５０３）、空以外であれば、次に優先順位の高いトランクを選択して同様にトランクの状態を判定する（ステップ４５０４、４５０２、４５０３）。
【０２１５】
ここで、空状態のトランクがない場合は、押されたボタン（ボタン‘オートダイヤル１’８−６−１乃至‘オートダイヤルｑ’８−６−ｑのうちのいずれか）は、無効とする。また、空状態の一番優先順位が高いトランクを捕捉決定した場合は、図８に示すオートダイヤルテーブルの、押されたボタンに対応する領域に保持されている情報から抽出したダイヤル番号、ハンドセット種別、及びトランク収容位置番号を含み、オートダイヤルトランク発呼であることを示す発呼情報（図４０、４００５）を編集し（ステップ４５０５）、図７に示すトランクボタンテーブルに登録されている交換装置に対しその発呼情報（図４０、４００５）を送出する（ステップ４５０６）。
【０２１６】
次に、図１８または図１９に示すトランクメモリの該当する領域を予約中に設定し（ステップ４５０７）、図１４または図１５に示すハンドセットメモリの該当する領域に状態が通話中であること、通話中交換装置番号、通話中トランクボタン番号、及び通話中（押した）オートダイヤル番号を設定する（ステップ４５０８）。次に、ボタン‘オートダイヤル１’８−６−１乃至‘オートダイヤルｑ’８−６−ｑに対応するランプ８−７−１乃至８−７−ｑのうちの該当するランプをハンドセット種別に対応した色（緑または橙）に点灯させる（ステップ４５０９）。そして、図１４または図１５に示すハンドセットメモリに基づいて、通話路スイッチ８−３０を制御し、通話路を閉成する（ステップ４５１０）。
【０２１７】
次に、交換装置は、図５１によって、端末装置から発呼情報を受信したことを検出すると（図４０、４００６）、図５４及び図５５に示す発呼情報受信処理を実行する。
【０２１８】
この発呼情報受信処理では、まず、受信した発呼情報に含まれている発呼種別を判定する（ステップ５４０１）。ここでは、オートダイヤルトランク発呼なのでオートダイヤルトランク発呼ルート（５４−３）が選択され、オートダイヤル発呼処理を実行する。
【０２１９】
まず、図２５に示すトランクメモリにより該当トランクの状態を判定し（ステップ５４１６）、空以外の場合には発呼できないので、発呼情報を送出した端末装置のハンドセットモード対応の端末装置収容位置に話中音（ＢＴ音）を送出する（ステップ５４２４）。また、トランクが空の場合には、ハンドセット種別、トランク収容位置番号、及び発呼端末番号を含み、トランク通話であることを示す状態情報を編集し（ステップ５４１７）、全端末装置に対してその状態情報（図４０、４０１０）を送出する（ステップ５４１８）。
【０２２０】
次に、図２５に示すトランクメモリの該当する領域を通話中に設定し（ステップ５４１９）、図２４に示す端末メモリの該当するハンドセットの領域にトランク接続中であることと、そのトランクの収容位置番号を設定する（ステップ５４２０）。続いて、通話路スイッチ１Ａまたは１Ｂを制御して、ハンドセット対応の端末収容位置とトランク収容位置との間に通話路を閉成し（ステップ５４２１）、トランクに対して発呼オーダを送出して回線を起動し（ステップ５４２２）、次いで、トランクに対してダイヤルオーダを送出する（ステップ５４２３）。
【０２２１】
また、端末装置は、図４２の処理によって、状態情報（図４０、４０１０）を受信したことを認識すると（図４０、４０１１）、図４９及び図５０に示す状態情報受信処理を実行する。
【０２２２】
まず、受信した状態情報（図４０、４０１０）に含まれる状態種別を判定し（ステップ４９０１）、トランク通話ルート（４９−１）のトランク通話処理を実行する。トランクが図７に示されるトランクボタンテーブルに登録されているか判別し（ステップ４９０２）、登録されていなければこの状態情報は無視される。登録されていれば、この状態情報に含まれている端末番号と、図９に示す自端末番号とを比較する（ステップ４９０３）。一致していれば、自端末装置が発呼した結果としての状態情報であることが分かり、状態情報に含まれているハンドセット種別を判定し（ステップ４９０４）、左ハンドセットであれば、図４に示すボタン‘トランク１’８−４−１乃至‘トランクｐ’８−４−ｐに対応するランプ８−５−１乃至８−５−ｐのうちの該当するランプを緑に点灯させ（ステップ４９０５）、右ハンドセットであれば橙に点灯させる（ステップ４９０６）。これによって、扱者は、左右のハンドセットのうちのどのハンドセットで、どのボタンで通話しているのか一目で認識することができる。
【０２２３】
一方、状態情報に含まれている端末番号が他端末番号であるときは、ボタン‘トランク１’８−４−１乃至‘トランクｐ’８−４−ｐに対応するランプ８−５−１乃至８−５−ｐのうちの該当するランプを赤に点灯させ（ステップ４９０７）、他端末使用中の表示をする。次に、着呼リンガを停止させる処理を行なう（ステップ４９０８）（ここでは、意味を持たない）。そして、最後に、図１８または図１９に示すトランクメモリの該当する領域に通話中を設定し（ステップ４９０９）、処理を終了する。
【０２２４】
この後、被呼者が応答すると通話状態（図４０、４０１３）になる。
【０２２５】
なお、図４０における切断処理について、図３６に示すトランク発呼の切断処理と処理が異なるのは、端末装置が切断を検出したときに、ボタン‘オートダイヤル１’８−６−１乃至‘オートダイヤルｑ’８−６−ｑに対応するランプ８−７−１乃至８−７−ｑのうちの該当するランプを滅灯させる処理（図４０、４０１６）のみであるので説明を省略する。
【０２２６】
以上のとおり、オートダイヤルトランク発呼に対する一連の呼制御が行なわれる。
【０２２７】
６．６  オートダイヤル内線発呼
【０２２８】
図４１において、端末装置の扱者が、ボタン‘オートダイヤル１’８−６−１乃至‘オートダイヤルｑ’８−６−ｑのうちのいずれかのボタンを押すと（図４１、４１０１）、端末装置の呼制御プロセッサ８−１４は、図４２によって、これを検出し（図４０、４１０２）、図４５に示すオートダイヤルボタン検出処理を実行する。
【０２２９】
このオートダイヤルボタン検出処理では、まず、図８に示すオートダイヤルテーブルのボタン‘オートダイヤル１’８−６−１乃至‘オートダイヤルｑ’８−６−ｑのうちの押されたボタンに対応する領域を参照し、オートダイヤルの種別を判定する（ステップ４５０１）。ここでは、内線オートダイヤルが設定されているものとして、内線ルート（４５−２）のオートダイヤル内線発呼処理を実行する。
【０２３０】
このオートダイヤル内線発呼処理では、まず、図１６に示す内線メモリ１を参照して、内線が空状態か判定し（ステップ４５１１）、空状態の場合は、ステップ４５１３以降の処理を実行する。空状態以外の場合は、図１７に示す内線メモリ２を参照して、内線が空状態か判定し（ステップ４５１２）、空状態の場合は、ステップ４５１３以降の処理を実行する。即ち、ステップ４５１１及びステップ４５１２により内線メモリの状態を判定した結果、ともに空状態以外である場合はボタン‘オートダイヤル１’８−６−１乃至‘オートダイヤルｑ’８−６−ｑのうちの押されたボタンを無効とする。また、空状態の内線メモリがある場合は、その内線メモリを捕捉し、図８に示すオートダイヤルテーブルの、押されたボタンに対応する領域に保持されている情報から抽出したダイヤル番号、ハンドセット種別、及び内線メモリ種別を含み、オートダイヤル内線発呼であることを示す発呼情報（図４１、４１０５）を編集し（ステップ４５１３）、図１１に示す発呼交換装置番号テーブルに登録されている交換装置に対しその発呼情報（図４１、４１０５）を送出する（ステップ４５１４）。
【０２３１】
次に、図１６または図１７に示す内線メモリの該当する領域を予約中に設定し（ステップ４５１５）、図１４または図１５に示すハンドセットメモリの該当する領域に状態が通話中であること、通話中交換装置番号、通話中内線ボタン番号、及び通話中（押した）オートダイヤル番号を設定する（ステップ４５１６）。
【０２３２】
次に、ボタン‘オートダイヤル１’８−６−１乃至‘オートダイヤルｑ’８−６−ｑに対応するランプ８−７−１乃至８−７−ｑのうちの該当するランプをハンドセット種別に対応した色（緑または橙）に点灯させる（ステップ４５０９）。そして、図１４または図１５に示すハンドセットメモリに基づいて、通話路スイッチ８−３０を制御し、通話路を閉成する（ステップ４５１０）。
【０２３３】
一方、交換装置は、図５１によって、端末装置から発呼情報（図４１、４１０５）を受信したことを検出すると（図４１、４１０６）、図５４及び図５５に示す発呼情報受信処理を実行する。
【０２３４】
まず、受信した発呼情報に含まれる発呼種別を判定する（ステップ５４０１）。ここでは、オートダイヤル内線発呼であるのでオートダイヤル内線発呼ルート（５４−４）が選択され、オートダイヤル内線発呼処理を実行する。
【０２３５】
このオートダイヤル内線発呼処理では、まず、ハンドセット種別、内線メモリ番号を含み、内線通話であることを示す情報を含む状態情報（図４１、４１０８）を編集し（ステップ５４２５）、その状態情報（図４１、４１０８）をオートダイヤル内線発呼を行なった端末装置に対して送出する（ステップ５４２６）。
【０２３６】
次に、図２２または図２３に示す内線メモリの該当する領域に状態が通話中になったことと、ハンドセット種別を設定し（ステップ５４２７）、また、図２４に示す端末メモリの該当する領域に内線接続であることと、内線メモリ番号を設定する（ステップ５４２８）。続いて、発呼したハンドセットに対応する端末収容位置を待機状態にし（ステップ５４２９）、図５３に示す説明済の内線着呼検出処理を実行する（ステップ５４３０）。
【０２３７】
また、端末装置は、図４２によって、交換装置から状態情報（図４１、４１０８）を受信したことを検出すると、図４９及び図５０に示す状態情報受信処理を実行する。
【０２３８】
まず、受信した状態情報に含まれている状態種別を判定する（ステップ４９０１）。ここでは、内線通話であるので内線通話ルート（４９−４）が選択され、内線通話処理を実行する。
【０２３９】
この内線通話処理では、まず、受信した状態情報に含まれるハンドセット種別を判定し（ステップ４９１７）、左ハンドセットであれば図４に示すボタン‘内線１’８−２−１または‘内線２’８−２−２に対応するランプ８−３−１またはランプ８−３−２のうちの対応するランプを緑に点灯させ（ステップ４９１８）、右ハンドセットであれば橙に点灯させる（ステップ４９１９）。これによって扱者は、左右のどちらのハンドセットで、どの内線ボタンを使用して通話をしているのか一目で認識することができる。次に、着呼リンガを停止させる処理を実行する（ステップ４９２０）（ここでは、意味を持たない）。最後に、図１６または図１７に示す内線メモリのうちの該当する領域を通話中の状態に設定する（ステップ４９２１）。
【０２４０】
この状態で、被呼者が着呼に応答すると、通話状態（図４１、４１１１）になる。
【０２４１】
なお、図４１における切断処理について、図３７に示す内線発呼の切断処理と処理が異なるのは、端末装置が切断を検出したときに、ボタン‘オートダイヤル１’８−６−１乃至‘オートダイヤルｑ’８−６−ｑに対応するランプ８−７−１乃至８−７−ｑのうちの該当するランプを滅灯させる処理（図４１、４１１４）のみであるので説明を省略する。
【０２４２】
以上のとおり、オートダイヤル内線発呼に対する一連の呼制御が行なわれる。
【０２４３】
§７．むすび
【０２４４】
以上、本発明による電話交換システムの実施の形態について説明したが、本発明による構成例は、本実施の形態に限られるものではない。例えば、端末装置が有するハンドセットは３本以上あってもよいし、内線呼制御メモリも３つ以上あってもよい。また、接続する交換装置も３セット以上あってもよい。いずれのシステム構成であっても、本発明によれば、端末装置からみて、複数の交換装置があたかも１台の大規模な交換装置の如く機能することは、これまでの説明により明らかである。
【０２４５】
さらに、本実施の形態においては、呼制御として、トランク発呼、トランク着呼、内線発呼、内線着呼、オートダイヤルトランク発呼、及びオートダイヤル内線発呼について説明したが、保留、転送、割込み、及び会議等のその他の代表的な呼制御についても、本実施の形態で開示したテーブルや一時メモリ構成、呼制御メッセージの構成、呼制御シーケンス、及び個々の呼制御の概念を発展させることによって、容易に実現できることも明らかである。
【図面の簡単な説明】
【０２４６】
【図１】本発明による電話交換システムの構成例を示す図である。
【図２】本発明による電話交換システムの構成例を示す図である。
【図３】本発明による電話交換システムの構成例を示す図である。
【図４】本発明による端末装置の盤面構成を示す図である。
【図５】本発明による端末装置のハードウェア構成を示すブロック図である。
【図６】本発明による交換装置の専用内線回路を示すブロック図である。
【図７】端末装置が有するテーブル（トランクボタンテーブル）を示す図である。
【図８】端末装置が有するテーブル（オートダイヤルボタンテーブル）を示す図である。
【図９】端末装置が有するテーブル（端末番号テーブル）を示す図である。
【図１０】端末装置が有するテーブル（ハンドセットモードテーブル）を示す図である。
【図１１】端末装置が有するテーブル（発呼交換装置番号テーブル）を示す図である。
【図１２】端末装置が有するテーブル（左ハンド連続モードテーブル）を示す図である。
【図１３】端末装置が有するテーブル（右ハンド連続モードテーブル）を示す図である。
【図１４】端末装置が有する一時メモリ（左（Ｌ）ハンドセットメモリ）を示す図である。
【図１５】端末装置が有する一時メモリ（右（Ｒ）ハンドセットメモリ）を示す図である。
【図１６】端末装置が有する一時メモリ（内線メモリ１）を示す図である。
【図１７】端末装置が有する一時メモリ（内線メモリ２）を示す図である。
【図１８】端末装置が有する一時メモリ（交換装置Ａ収容トランクメモリ）を示す図である。
【図１９】端末装置が有する一時メモリ（交換装置Ｂ収容トランクメモリ）を示す図である。
【図２０】端末装置が有する一時メモリ（ダブルハンドボタンメモリ）を示す図である。
【図２１】交換装置が有するテーブル（端末番号テーブル）を示す図である。
【図２２】交換装置が有する一時メモリ（内線メモリ１）を示す図である。
【図２３】交換装置が有する一時メモリ（内線メモリ２）を示す図である。
【図２４】交換装置が有する一時メモリ（端末メモリ）を示す図である。
【図２５】端末装置が有する一時メモリ（トランクメモリ）を示す図である。
【図２６】端末装置から交換装置方向への呼制御メッセージ（発呼情報）を示す図である。
【図２７】端末装置から交換装置方向への呼制御メッセージ（応答情報）を示す図である。
【図２８】端末装置から交換装置方向への呼制御メッセージ（ダイヤルボタン情報）を示す図である。
【図２９】端末装置から交換装置方向への呼制御メッセージ（切断情報）を示す図である。
【図３０】端末装置から交換装置方向への呼制御メッセージ（内線着呼完了情報）を示す図である。
【図３１】端末装置から交換装置方向への呼制御メッセージ（内線着呼不完了情報）を示す図である。
【図３２】交換装置から端末装置方向への呼制御メッセージ（状態情報）を示す図である。
【図３３】交換装置から端末装置方向への呼制御メッセージ（内線着呼情報）を示す図である。
【図３４】ハンドセットの選択手順を示すフローチャート（１／２）である。
【図３５】ハンドセットの選択手順を示すフローチャート（２／２）である。
【図３６】トランク発呼時の呼制御シーケンスを示す図である。
【図３７】トランク着呼時の呼制御シーケンスを示す図である。
【図３８】内線発呼時の呼制御シーケンスを示す図である。
【図３９】内線着呼時の呼制御シーケンスを示す図である。
【図４０】オートダイヤルトランク発呼時の呼制御シーケンスを示す図である。
【図４１】オートダイヤル内線発呼時の呼制御シーケンスを示す図である。
【図４２】端末装置の呼制御（イベント検出処理）を示すフローチャートである。
【図４３】端末装置の呼制御（トランクボタン検出処理）を示すフローチャートである。
【図４４】端末装置の呼制御（内線ボタン検出処理）を示すフローチャートである。
【図４５】端末装置の呼制御（オートダイヤルボタン検出処理）を示すフローチャートである。
【図４６】端末装置の呼制御（ダイヤルボタン検出処理）を示すフローチャートである。
【図４７】端末装置の呼制御（切断ボタン検出処理）を示すフローチャートである。
【図４８】端末装置の呼制御（内線着呼情報受信処理）を示すフローチャートである。
【図４９】端末装置の呼制御（状態情報受信処理（１／２））を示すフローチャートである。
【図５０】端末装置の呼制御（状態情報受信処理（２／２））を示すフローチャートである。
【図５１】交換装置の呼制御（イベント検出処理）を示すフローチャートである。
【図５２】交換装置の呼制御（トランク着呼検出処理）を示すフローチャートである。
【図５３】交換装置の呼制御（内線着呼検出処理）を示すフローチャートである。
【図５４】交換装置の呼制御（発呼情報受信処理（１／２））を示すフローチャートである。
【図５５】交換装置の呼制御（発呼情報受信処理（２／２））を示すフローチャートである。
【図５６】交換装置の呼制御（内線着呼完了情報受信処理）を示すフローチャートである。
【図５７】交換装置の呼制御（内線着呼不完了情報受信処理）を示すフローチャートである。
【図５８】交換装置の呼制御（応答情報受信処理）を示すフローチャートである。
【図５９】交換装置の呼制御（ダイヤルボタン情報受信処理）を示すフローチャートである。
【図６０】交換装置の呼制御（切断情報受信処理）を示すフローチャートである。
【図６１】従来の電話交換システムの構成例を示す図である。
【符号の説明】
【０２４７】
１Ａ，１Ｂ…通話路スイッチ、２Ａ，２Ｂ…従来型の電話端末、３Ａ，３Ｂ…内線回路、４Ａ，４Ｂ…トランク、５Ａ，５Ｂ…中央制御装置、６Ａ，６Ｂ…記憶装置、７Ａ，７Ｂ…制御系バス、８…端末装置、９Ａ，９Ｂ…専用内線回路。
【図１】
2004208338.tif 000003
【図２】
2004208338.tif 000004
【図３】
2004208338.tif 000005
【図４】
2004208338.tif 000006
【図５】
2004208338.tif 000007
【図６】
2004208338.tif 000008
【図７】
2004208338.tif 000009
【図８】
2004208338.tif 000010
【図９】
2004208338.tif 000011
【図１０】
2004208338.tif 000012
【図１１】
2004208338.tif 000013
【図１２】
2004208338.tif 000014
【図１３】
2004208338.tif 000015
【図１４】
2004208338.tif 000016
【図１５】
2004208338.tif 000017
【図１６】
2004208338.tif 000018
【図１７】
2004208338.tif 000019
【図１８】
2004208338.tif 000020
【図１９】
2004208338.tif 000021
【図２０】
2004208338.tif 000022
【図２１】
2004208338.tif 000023
【図２２】
2004208338.tif 000024
【図２３】
2004208338.tif 000025
【図２４】
2004208338.tif 000026
【図２５】
2004208338.tif 000027
【図２６】
2004208338.tif 000028
【図２７】
2004208338.tif 000029
【図２８】
2004208338.tif 000030
【図２９】
2004208338.tif 000031
【図３０】
2004208338.tif 000032
【図３１】
2004208338.tif 000033
【図３２】
2004208338.tif 000034
【図３３】
2004208338.tif 000035
【図３４】
2004208338.tif 000036
【図３５】
2004208338.tif 000037
【図３６】
2004208338.tif 000038
【図３７】
2004208338.tif 000039
【図３８】
2004208338.tif 000040
【図３９】
2004208338.tif 000041
【図４０】
2004208338.tif 000042
【図４１】
2004208338.tif 000043
【図４２】
2004208338.tif 000044
【図４３】
2004208338.tif 000045
【図４４】
2004208338.tif 000046
【図４５】
2004208338.tif 000047
【図４６】
2004208338.tif 000048
【図４７】
2004208338.tif 000049
【図４８】
2004208338.tif 000050
【図４９】
2004208338.tif 000051
【図５０】
2004208338.tif 000052
【図５１】
2004208338.tif 000053
【図５２】
2004208338.tif 000054
【図５３】
2004208338.tif 000055
【図５４】
2004208338.tif 000056
【図５５】
2004208338.tif 000057
【図５６】
2004208338.tif 000058
【図５７】
2004208338.tif 000059
【図５８】
2004208338.tif 000060
【図５９】
2004208338.tif 000061
【図６０】
2004208338.tif 000062
【図６１】
2004208338.tif 000063